(57)【要約】  本発明は、情報設定方法および装置を提供する。情報設定方法は、ユーザ機器であるＵＥ宛に同期隣接セルのＤＭＴＣ情報および非同期隣接セルのＤＭＴＣ情報を送信するかを決定することと、同期隣接セルのＤＭＴＣ情報および非同期隣接セルのＤＭＴＣ情報をＵＥ宛に送信すると決定した場合、同期隣接セルのＤＭＴＣ情報および非同期隣接セルのＤＭＴＣ情報をＵＥに指示するための第１隣接セルＤＭＴＣ情報をＵＥ宛に送信することとを含む。【選択図】  図２
2019508954.tif 000002
【特許請求の範囲】
【請求項１】
ユーザ機器であるＵＥ宛に、同期隣接セルのＤＭＴＣ情報および非同期隣接セルのＤＭＴＣ情報を送信するかを決定することと、
前記同期隣接セルのＤＭＴＣ情報および前記非同期隣接セルのＤＭＴＣ情報を前記ＵＥ宛に送信すると決定した場合、第１同期識別子と、前記同期隣接セルのＤＭＴＣ期間、前記同期隣接セルのＤＭＴＣ周期および前記同期隣接セルのＤＭＴＣオフセットのうちの少なくとも１つを含む第１ＤＭＴＣパラメータとを含み、前記同期隣接セルのＤＭＴＣ情報および前記非同期隣接セルのＤＭＴＣ情報を前記ＵＥに指示するための第１隣接セルＤＭＴＣ情報を前記ＵＥ宛に送信することとを含む情報設定方法。
【請求項２】
前記第１同期識別子が非同期を指示する請求項１に記載の方法。
【請求項３】
前記第１隣接セルＤＭＴＣ情報は、前記非同期隣接セルのＤＭＴＣ期間、前記非同期隣接セルのＤＭＴＣ周期および前記非同期隣接セルのＤＭＴＣオフセットのうちの少なくとも１つを含む第２ＤＭＴＣパラメータをさらに含む請求項１に記載の方法。
【請求項４】
前記第１隣接セルＤＭＴＣ情報を前記ＵＥに送信することが、
周波数内隣接セルの前記第１隣接セルＤＭＴＣ情報をＳＩＢ３ブロードキャストメッセージまたは前記ＵＥ専用の無線リソース制御ＲＲＣメッセージによって送信することと、
指定周波数点における周波数間隣接セルの前記第１隣接セルＤＭＴＣ情報をＳＩＢ５ブロードキャストメッセージまたは前記ＵＥ専用の前記無線リソース制御ＲＲＣメッセージによって送信することとを含む請求項１から請求項３のいずれかに記載の方法。
【請求項５】
前記第１隣接セルＤＭＴＣ情報は、サービングセルのＤＭＴＣ周期を前記同期隣接セルのＤＭＴＣ周期として使用するように前記ＵＥに指示、および／または前記サービングセルのＤＭＴＣ期間を前記同期隣接セルのＤＭＴＣ期間として使用するように前記ＵＥに指示する第１指示情報をさらに含む請求項２または請求項３に記載の方法。
【請求項６】
前記第１隣接セルＤＭＴＣ情報は、前記同期隣接セルのＤＭＴＣ周期および／または前記同期隣接セルのＤＭＴＣ期間が指定値であることを前記ＵＥに指示するための第２指示情報をさらに含む請求項２または請求項３に記載の方法。
【請求項７】
前記同期隣接セルのＤＭＴＣ情報のみを前記ＵＥに送信すると決定した場合、
同期を指示する第２同期識別子を含む第２隣接セルＤＭＴＣ情報を前記ＵＥ宛に送信することをさらに含む請求項１に記載の方法。
【請求項８】
前記第２隣接セルＤＭＴＣ情報は、ＤＭＴＣ期間、ＤＭＴＣ周期およびＤＭＴＣオフセットを含むサービングセルのＤＭＴＣパラメータを前記同期隣接セルのＤＭＴＣパラメータとして使用するように前記ＵＥに指示、または、前記同期隣接セルのＤＭＴＣ期間、前記同期隣接セルのＤＭＴＣ周期および前記同期隣接セルのＤＭＴＣオフセットのうちの少なくとも１つの値が指定値であることを前記ＵＥに指示するための第３指示情報をさらに含む請求項７に記載の方法。
【請求項９】
前記第２隣接セルＤＭＴＣ情報は、少なくとも前記同期隣接セルのＤＭＴＣオフセットを含む第３ＤＭＴＣパラメータをさらに含む請求項７に記載の方法。
【請求項１０】
前記第２隣接セルＤＭＴＣ情報は、サービングセルのＤＭＴＣ期間を前記同期隣接セルのＤＭＴＣ期間として使用するように前記ＵＥに指示、および／または前記サービングセルのＤＭＴＣ周期を前記同期隣接セルのＤＭＴＣ周期として使用するように前記ＵＥに指示ための第４指示情報をさらに含む、または、
前記第２隣接セルＤＭＴＣ情報は、前記同期隣接セルのＤＭＴＣ期間、前記同期隣接セルのＤＭＴＣ周期のうちの少なくとも１つの値が指定値であることを前記ＵＥに指示するための第５指示情報をさらに含む請求項９に記載の方法。
【請求項１１】
前記非同期隣接セルのＤＭＴＣ情報のみを前記ＵＥに送信すると決定した場合、
非同期を指示する第３同期識別子を含む第３隣接セルＤＭＴＣ情報を前記ＵＥ宛に送信することをさらに含む請求項１に記載の方法。
【請求項１２】
前記第３隣接セルＤＭＴＣ情報は、前記非同期隣接セルのＤＭＴＣ期間、前記非同期隣接セルのＤＭＴＣ周期および前記非同期隣接セルのＤＭＴＣオフセットのうちの少なくとも１つを含む第４ＤＭＴＣパラメータをさらに含む請求項１１に記載の方法。
【請求項１３】
同期隣接セルのＤＭＴＣ情報および非同期隣接セルのＤＭＴＣ情報を指示するための第１隣接セルＤＭＴＣ情報を基地局から受信することと、
前記第１隣接セルＤＭＴＣ情報に基づいて前記同期隣接セルのＤＭＴＣ情報および前記非同期隣接セルのＤＭＴＣ情報を取得することと、
前記同期隣接セルのＤＭＴＣ情報に基づいて前記同期隣接セルのチャネル測定を行い、前記非同期隣接セルのＤＭＴＣ情報に基づいて前記非同期隣接セルのチャネル測定を行うこととを含み、
前記第１隣接セルＤＭＴＣ情報は、第１同期識別子と、前記同期隣接セルのＤＭＴＣ期間、前記同期隣接セルのＤＭＴＣ周期および前記同期隣接セルのＤＭＴＣオフセットのうちの少なくとも１つとを含む第１ＤＭＴＣパラメータとを含む情報設定方法。
【請求項１４】
前記第１隣接セルＤＭＴＣ情報を前記基地局から受信することは、
周波数内隣接セルの前記第１隣接セルＤＭＴＣ情報をＳＩＢ３ブロードキャストメッセージまたはＵＥ専用の無線リソース制御ＲＲＣメッセージによって受信することと、
指定周波数点における周波数間隣接セルの前記第１隣接セルＤＭＴＣ情報をＳＩＢ５ブロードキャストメッセージまたは前記ＵＥ専用の前記無線リソース制御ＲＲＣメッセージによって受信することを含む請求項１３に記載の方法。
【請求項１５】
前記第１隣接セルＤＭＴＣ情報に基づいて前記同期隣接セルのＤＭＴＣ情報および前記非同期隣接セルのＤＭＴＣ情報を取得することは、
前記第１同期識別子が非同期を指示する場合、前記第１隣接セルＤＭＴＣ情報に基づいて前記同期隣接セルのＤＭＴＣ情報および前記非同期隣接セルのＤＭＴＣ情報を取得することを含む請求項１３に記載の方法。
【請求項１６】
前記第１隣接セルＤＭＴＣ情報に基づいて前記同期隣接セルのＤＭＴＣ情報および前記非同期隣接セルのＤＭＴＣ情報を取得することは、
前記第１ＤＭＴＣパラメータに、前記非同期隣接セルのＤＭＴＣ期間、前記非同期隣接セルのＤＭＴＣ周期および前記非同期隣接セルのＤＭＴＣオフセットのうちの少なくとも１つを含む第２ＤＭＴＣパラメータをさらに含む場合、前記第１隣接セルＤＭＴＣ情報に基づいて前記同期隣接セルのＤＭＴＣ情報および前記非同期隣接セルのＤＭＴＣ情報を取得することを含む請求項１３に記載の方法。
【請求項１７】
前記第１隣接セルＤＭＴＣ情報に基づいて前記同期隣接セルのＤＭＴＣ情報を取得することは、
前記第１隣接セルＤＭＴＣ情報のうちの第１指示情報に基づいて、サービングセルのＤＭＴＣ周期を同期隣接セルのＤＭＴＣ周期として使用するように決定、および／または前記サービングセルのＤＭＴＣ期間を前記同期隣接セルのＤＭＴＣ期間として使用するように決定することを含む請求項１５または請求項１６に記載の方法。
【請求項１８】
前記第１隣接セルＤＭＴＣ情報に基づいて前記同期隣接セルのＤＭＴＣ情報を取得することは、
前記第１隣接セルＤＭＴＣ情報のうちの第２指示情報に基づいて、前記同期隣接セルのＤＭＴＣ周期および／または前記同期隣接セルのＤＭＴＣ期間が指定値であると決定することを含む請求項１５または請求項１６に記載の方法。
【請求項１９】
前記第１隣接セルＤＭＴＣ情報に基づいて前記非同期隣接セルのＤＭＴＣ情報を取得することは、
前記非同期隣接セルのＤＭＴＣ周期が、指定周期、または指定周期と指定オフセット量との和であると決定すること、および／または
前記非同期隣接セルのＤＭＴＣ期間が指定期間であると決定すること、および／または
前記非同期隣接セルのＤＭＴＣオフセットが指定オフセットであると決定することを含む請求項１５または請求項１６に記載の方法。
【請求項２０】
前記第１隣接セルＤＭＴＣ情報に基づいて前記非同期隣接セルのＤＭＴＣ情報を取得することは、
前記非同期隣接セルのＤＭＴＣ周期が前記第２ＤＭＴＣパラメータのうちのＤＭＴＣ周期であると決定、または前記非同期隣接セルのＤＭＴＣ周期が前記第２ＤＭＴＣパラメータのうちのＤＭＴＣ周期と指定オフセット量との和であると決定することを含む請求項１６に記載の方法。
【請求項２１】
同期を指示する第２同期識別子を含む第２隣接セルＤＭＴＣ情報を前記基地局から受信することと、
前記第２隣接セルＤＭＴＣ情報に基づいて前記同期隣接セルのＤＭＴＣパラメータを決定することと、
前記同期隣接セルのＤＭＴＣパラメータに基づいて前記同期隣接セルのチャネル測定を行うことをさらに含む請求項１３に記載の方法。
【請求項２２】
前記第２隣接セルＤＭＴＣ情報に基づいて前記同期隣接セルのＤＭＴＣパラメータを決定することは、
前記第２隣接セルＤＭＴＣ情報のうちの第３指示情報に基づいて、ＤＭＴＣ期間、ＤＭＴＣ周期およびＤＭＴＣオフセットを含むサービングセルのＤＭＴＣパラメータが前記同期隣接セルのＤＭＴＣパラメータであると決定、または前記同期隣接セルのＤＭＴＣ期間、前記同期隣接セルのＤＭＴＣ周期および前記同期隣接セルのＤＭＴＣオフセットのうちの少なくとも１つの値が指定値であると決定することを含む請求項２１に記載の方法。
【請求項２３】
前記第２隣接セルＤＭＴＣ情報は、少なくとも前記同期隣接セルのＤＭＴＣオフセットを含む第３ＤＭＴＣパラメータをさらに含む請求項２１に記載の方法。
【請求項２４】
前記第２隣接セルＤＭＴＣ情報に基づいて前記同期隣接セルのＤＭＴＣパラメータを決定することは、
前記第２隣接セルＤＭＴＣ情報のうちの第４指示情報に基づいて、サービングセルのＤＭＴＣ期間を前記同期隣接セルのＤＭＴＣ期間として使用するように決定、および／またはサービングセルのＤＭＴＣ周期を前記同期隣接セルのＤＭＴＣ周期として使用するように決定することを含む請求項２３に記載の方法。
【請求項２５】
前記第２隣接セルＤＭＴＣ情報に基づいて前記同期隣接セルのＤＭＴＣパラメータを決定することは、
前記第２隣接セルＤＭＴＣ情報のうちの第５指示情報に基づいて、前記同期隣接セルのＤＭＴＣ期間、前記同期隣接セルのＤＭＴＣ周期のうちの少なくとも１つの値が指定値であると決定することを含む請求項２３に記載の方法。
【請求項２６】
非同期を指示する第３同期識別子を含む第３隣接セルＤＭＴＣ情報を前記基地局から受信することと、
前記第３隣接セルのＤＭＴＣ情報に基づいて前記非同期隣接セルのＤＭＴＣパラメータを決定することと、
前記非同期隣接セルのＤＭＴＣパラメータに基づいて前記非同期隣接セルのチャネル測定を行うことをさらに含む請求項１３に記載の方法。
【請求項２７】
前記第３隣接セルＤＭＴＣ情報は、前記非同期隣接セルのＤＭＴＣ期間、前記非同期隣接セルのＤＭＴＣ周期および前記非同期隣接セルのＤＭＴＣオフセットのうちの少なくとも１つを含む第４ＤＭＴＣパラメータをさらに含む請求項２６に記載の方法。
【請求項２８】
前記第３隣接セルＤＭＴＣ情報に基づいて前記非同期隣接セルのＤＭＴＣパラメータを決定することは、
前記非同期隣接セルのＤＭＴＣ周期が、指定周期、または指定周期と指定オフセット量との和であると決定すること、および／または
前記非同期隣接セルのＤＭＴＣ期間が指定期間であると決定すること、および／または
前記非同期隣接セルのＤＭＴＣオフセットが指定オフセットであると決定することを含む請求項２６または請求項２７に記載の方法。
【請求項２９】
前記第３隣接セルＤＭＴＣ情報に基づいて前記非同期隣接セルのＤＭＴＣパラメータを決定することは、
前記非同期隣接セルのＤＭＴＣ周期が前記第４ＤＭＴＣパラメータのうちのＤＭＴＣ周期であると決定、または前記非同期隣接セルのＤＭＴＣ周期が前記第４ＤＭＴＣパラメータのうちのＤＭＴＣ周期と指定オフセット量との和であると決定することを含む請求項２７に記載の方法。
【請求項３０】
ユーザ機器であるＵＥ宛に、同期隣接セルのＤＭＴＣ情報および非同期隣接セルのＤＭＴＣ情報を送信するかを決定するための判断モジュールと、
前記同期隣接セルのＤＭＴＣ情報および前記非同期隣接セルのＤＭＴＣ情報を前記ＵＥ宛に送信すると決定した場合、第１同期識別子と、前記同期隣接セルのＤＭＴＣ期間、前記同期隣接セルのＤＭＴＣ周期および前記同期隣接セルのＤＭＴＣオフセットのうちの少なくとも１つを含む第１ＤＭＴＣパラメータとを含み、前記同期隣接セルのＤＭＴＣ情報および前記非同期隣接セルのＤＭＴＣ情報を前記ＵＥに指示するための第１隣接セルＤＭＴＣ情報を前記ＵＥ宛に送信するための第１情報送信モジュールとを備える情報設定装置。
【請求項３１】
前記第１同期識別子が非同期を指示する請求項３０に記載の装置。
【請求項３２】
前記第１隣接セルＤＭＴＣ情報は、前記非同期隣接セルのＤＭＴＣ期間、前記非同期隣接セルのＤＭＴＣ周期および前記非同期隣接セルのＤＭＴＣオフセットのうちの少なくとも１つを含む第２ＤＭＴＣパラメータをさらに含む請求項３０に記載の装置。
【請求項３３】
前記第１情報送信モジュールは、具体的に、
周波数内隣接セルの前記第１隣接セルＤＭＴＣ情報をＳＩＢ３ブロードキャストメッセージまたは前記ＵＥ専用の無線リソース制御ＲＲＣメッセージによって送信し、
指定周波数点における周波数間隣接セルの前記第１隣接セルＤＭＴＣ情報をＳＩＢ５ブロードキャストメッセージまたは前記ＵＥ専用の前記無線リソース制御ＲＲＣメッセージによって送信する請求項３０から請求項３２のいずれかに記載の装置。
【請求項３４】
前記第１隣接セルＤＭＴＣ情報は、サービングセルのＤＭＴＣ周期を前記同期隣接セルのＤＭＴＣ周期として使用するように前記ＵＥに指示、および／または前記サービングセルのＤＭＴＣ期間を前記同期隣接セルのＤＭＴＣ期間として使用するように前記ＵＥに指示するための第１指示情報をさらに含む請求項３１または請求項３２に記載の装置。
【請求項３５】
前記第１隣接セルＤＭＴＣ情報は、前記同期隣接セルのＤＭＴＣ周期および／または前記同期隣接セルのＤＭＴＣ期間が指定値であることを前記ＵＥに指示するための第２指示情報をさらに含む請求項３１または請求項３２に記載の装置。
【請求項３６】
同期を指示する第２同期識別子を含む第２隣接セルＤＭＴＣ情報を前記ＵＥ宛に送信するための第２情報送信モジュールをさらに含む請求項３０に記載の装置。
【請求項３７】
前記第２隣接セルＤＭＴＣ情報は、ＤＭＴＣ期間、ＤＭＴＣ周期およびＤＭＴＣオフセットを含むサービングセルのＤＭＴＣパラメータを前記同期隣接セルのＤＭＴＣパラメータとして使用するように前記ＵＥに指示、または前記同期隣接セルのＤＭＴＣ期間、前記同期隣接セルのＤＭＴＣ周期および前記同期隣接セルのＤＭＴＣオフセットのうちの少なくとも１つの値が指定値であることを前記ＵＥに指示するための第３指示情報をさらに含む請求項３６に記載の装置。
【請求項３８】
前記第２隣接セルＤＭＴＣ情報は、少なくとも前記同期隣接セルのＤＭＴＣオフセットを含む第３ＤＭＴＣパラメータをさらに含み、
前記第２隣接セルＤＭＴＣ情報は、サービングセルのＤＭＴＣ期間を前記同期隣接セルのＤＭＴＣ期間として使用するように前記ＵＥに指示、および／または前記サービングセルのＤＭＴＣ周期を前記同期隣接セルのＤＭＴＣ周期として使用するように前記ＵＥに指示ための第４指示情報をさらに含む、または
前記第２隣接セルＤＭＴＣ情報は、前記同期隣接セルのＤＭＴＣ期間、前記同期隣接セルのＤＭＴＣ周期のうちの少なくとも１つの値が指定値であることを前記ＵＥに指示するための第５指示情報をさらに含む請求項３６に記載の装置。
【請求項３９】
非同期を指示する第３同期識別子を含む第３隣接セルＤＭＴＣ情報を前記ＵＥ宛に送信するための第３情報送信モジュールをさらに含む請求項３０に記載の装置。
【請求項４０】
前記第３隣接セルＤＭＴＣ情報は、前記非同期隣接セルのＤＭＴＣ期間、前記非同期隣接セルのＤＭＴＣ周期および前記非同期隣接セルのＤＭＴＣオフセットのうちの少なくとも１つを含む第４ＤＭＴＣパラメータをさらに含む請求項３９に記載の装置。
【請求項４１】
同期隣接セルのＤＭＴＣ情報および非同期隣接セルのＤＭＴＣ情報を指示するための第１隣接セルＤＭＴＣ情報を基地局から受信するための第１情報受信モジュールと、
前記第１隣接セルＤＭＴＣ情報に基づいて前記同期隣接セルのＤＭＴＣ情報および前記非同期隣接セルのＤＭＴＣ情報を取得するための情報取得モジュールと、
前記同期隣接セルのＤＭＴＣ情報に基づいて前記同期隣接セルのチャネル測定を行い、前記非同期隣接セルのＤＭＴＣ情報に基づいて前記非同期隣接セルのチャネル測定を行うためのチャネル測定モジュールとを備え、
前記第１隣接セルＤＭＴＣ情報は、第１同期識別子と、前記同期隣接セルのＤＭＴＣ期間、前記同期隣接セルのＤＭＴＣ周期および前記同期隣接セルのＤＭＴＣオフセットのうちの少なくとも１つを含む第１ＤＭＴＣパラメータとを含む情報設定装置。
【請求項４２】
前記第１情報受信モジュールは、具体的に、
周波数内隣接セルの前記第１隣接セルＤＭＴＣ情報をＳＩＢ３ブロードキャストメッセージまたは前記ＵＥ専用の無線リソース制御ＲＲＣメッセージによって受信、および／または
指定周波数点における周波数間隣接セルの前記第１隣接セルＤＭＴＣ情報をＳＩＢ５ブロードキャストメッセージまたは前記ＵＥ専用の前記無線リソース制御ＲＲＣメッセージによって受信する請求項４１に記載の装置。
【請求項４３】
前記情報取得モジュールは、具体的に、
前記第１同期識別子が非同期を指示する場合、前記第１隣接セルＤＭＴＣ情報に基づいて前記同期隣接セルのＤＭＴＣ情報および前記非同期隣接セルのＤＭＴＣ情報を取得する請求項４１に記載の装置。
【請求項４４】
前記情報取得モジュールは、具体的に、
前記第１ＤＭＴＣパラメータに、前記非同期隣接セルのＤＭＴＣ期間、前記非同期隣接セルのＤＭＴＣ周期および前記非同期隣接セルのＤＭＴＣオフセットのうちの少なくとも１つを含む第２ＤＭＴＣパラメータをさらに含む場合、前記第１隣接セルＤＭＴＣ情報に基づいて前記同期隣接セルのＤＭＴＣ情報および前記非同期隣接セルのＤＭＴＣ情報を取得する請求項４１に記載の装置。
【請求項４５】
前記情報取得モジュールは、具体的に、
前記同期隣接セルのＤＭＴＣ情報の取得において、前記第１隣接セルＤＭＴＣ情報のうちの第１指示情報に基づいて、サービングセルのＤＭＴＣ周期を同期隣接セルのＤＭＴＣ周期として使用するように決定、および／または前記サービングセルのＤＭＴＣ期間を前記同期隣接セルのＤＭＴＣ期間として使用するように決定する請求項４３または請求項４４に記載の装置。
【請求項４６】
前記情報取得モジュールは、具体的に、
前記同期隣接セルのＤＭＴＣ情報の取得において、前記第１隣接セルＤＭＴＣ情報のうちの第２指示情報に基づいて、前記同期隣接セルのＤＭＴＣ周期および／または前記同期隣接セルのＤＭＴＣ期間が指定値であると決定する請求項４３または請求項４４に記載の装置。
【請求項４７】
前記情報取得モジュールは、具体的に、
前記非同期隣接セルのＤＭＴＣ情報の取得において、前記非同期隣接セルのＤＭＴＣ周期が、指定周期、または指定周期と指定オフセット量との和であると決定、および／または、前記非同期隣接セルのＤＭＴＣ期間が指定期間であると決定、および／または、前記非同期隣接セルのＤＭＴＣオフセットが指定オフセットであると決定する請求項４３または請求項４４に記載の装置。
【請求項４８】
前記情報取得モジュールは、具体的に、
前記非同期隣接セルのＤＭＴＣ情報の取得において、前記非同期隣接セルのＤＭＴＣ周期が前記第２ＤＭＴＣパラメータのうちのＤＭＴＣ周期であると決定、または、前記非同期隣接セルのＤＭＴＣ周期が前記第２ＤＭＴＣパラメータのうちのＤＭＴＣ周期と指定オフセット量との和であると決定する請求項４４に記載の装置。
【請求項４９】
同期を指示する第２同期識別子を含む第２隣接セルＤＭＴＣ情報を前記基地局から受信するための第２情報受信モジュールと、
前記第２隣接セルＤＭＴＣ情報に基づいて前記同期隣接セルのＤＭＴＣパラメータを決定するための第１情報決定モジュールとをさらに備え、
前記チャネル測定モジュールは、さらに前記同期隣接セルのＤＭＴＣパラメータに基づいて前記同期隣接セルのチャネル測定を行う請求項４１に記載の装置。
【請求項５０】
前記第１情報決定モジュールは、具体的に、
前記第２隣接セルＤＭＴＣ情報のうちの第３指示情報に基づいて、ＤＭＴＣ期間、ＤＭＴＣ周期およびＤＭＴＣオフセットを含むサービングセルのＤＭＴＣパラメータが前記同期隣接セルのＤＭＴＣパラメータであると決定、または前記同期隣接セルのＤＭＴＣ期間、前記同期隣接セルのＤＭＴＣ周期および前記同期隣接セルのＤＭＴＣオフセットのうちの少なくとも１つが指定値であると決定する請求項４９に記載の装置。
【請求項５１】
前記第２隣接セルＤＭＴＣ情報は、少なくとも前記同期隣接セルのＤＭＴＣオフセットを含む第３ＤＭＴＣパラメータをさらに含む請求項４９に記載の装置。
【請求項５２】
前記第１情報決定モジュールは、具体的に、
前記第２隣接セルＤＭＴＣ情報のうちの第４指示情報に基づいて、サービングセルのＤＭＴＣ期間を前記同期隣接セルのＤＭＴＣ期間として使用するように決定、および／または前記サービングセルのＤＭＴＣ周期を前記同期隣接セルのＤＭＴＣ周期として使用するように決定する請求項５１に記載の装置。
【請求項５３】
前記第１情報決定モジュールは、具体的に、
前記第２隣接セルＤＭＴＣ情報のうちの第５指示情報に基づいて、前記同期隣接セルのＤＭＴＣ期間、前記同期隣接セルのＤＭＴＣ周期のうちの少なくとも１つの値が指定値であると決定する請求項５１に記載の装置。
【請求項５４】
非同期を指示する第３同期識別子を含む第３隣接セルＤＭＴＣ情報を前記基地局から受信するための第３情報受信モジュールと、
前記第３隣接セルのＤＭＴＣ情報に基づいて前記非同期隣接セルのＤＭＴＣパラメータを決定するための第２情報決定モジュールとをさらに備え、
前記チャネル測定モジュールは、さらに前記非同期隣接セルのＤＭＴＣパラメータに基づいて前記非同期隣接セルのチャネル測定を行う請求項４１に記載の装置。
【請求項５５】
前記第３隣接セルＤＭＴＣ情報は、前記非同期隣接セルのＤＭＴＣ期間、前記非同期隣接セルのＤＭＴＣ周期および前記非同期隣接セルのＤＭＴＣオフセットのうちの少なくとも１つを含む第４ＤＭＴＣパラメータをさらに含む請求項５４に記載の装置。
【請求項５６】
前記第２情報決定モジュールは、具体的に、
前記非同期隣接セルのＤＭＴＣ周期が、指定周期、または指定周期と指定オフセット量との和であると決定、および／または前記非同期隣接セルのＤＭＴＣ期間が指定期間であると決定、および／または前記非同期隣接セルのＤＭＴＣオフセットが指定オフセットであると決定する請求項５４または請求項５５に記載の装置。
【請求項５７】
前記第２情報決定モジュールは、具体的に、
前記非同期隣接セルのＤＭＴＣ周期が前記第４ＤＭＴＣパラメータのうちのＤＭＴＣ周期であると決定、または前記非同期隣接セルのＤＭＴＣ周期が前記第４ＤＭＴＣパラメータのうちのＤＭＴＣ周期と指定オフセット量との和であると決定する請求項５６に記載の装置。
【請求項５８】
プロセッサと、メモリと、発信機とを備える情報設定装置であって、
前記プロセッサは、前記メモリに格納されているプログラムまたはデータを呼び出して実行することによって、ユーザ機器であるＵＥ宛に同期隣接セルのＤＭＴＣ情報および非同期隣接セルのＤＭＴＣ情報を送信するかを決定し、
前記発信機は、前記プロセッサによって前記同期隣接セルのＤＭＴＣ情報および前記非同期隣接セルのＤＭＴＣ情報を前記ＵＥ宛に送信すると決定した場合、第１同期識別子と、前記同期隣接セルのＤＭＴＣ期間、前記同期隣接セルのＤＭＴＣ周期および前記同期隣接セルのＤＭＴＣオフセットのうちの少なくとも１つを含む第１ＤＭＴＣパラメータとを含み、前記同期隣接セルのＤＭＴＣ情報および前記非同期隣接セルのＤＭＴＣ情報を前記ＵＥに指示するための第１隣接セルＤＭＴＣ情報を前記ＵＥ宛に送信する情報設定装置。
【請求項５９】
プロセッサと、メモリと、受信機とを含む情報設定装置であって、
前記受信機は、同期隣接セルのＤＭＴＣ情報および非同期隣接セルのＤＭＴＣ情報を指示するための第１隣接セルＤＭＴＣ情報を基地局から受信し、
前記プロセッサは、前記メモリに格納されているプログラムまたはデータを呼び出して実行することによって、前記受信機が受信した前記第１隣接セルＤＭＴＣ情報に基づいて前記同期隣接セルのＤＭＴＣ情報および前記非同期隣接セルのＤＭＴＣ情報を取得し、前記同期隣接セルのＤＭＴＣ情報に基づいて前記同期隣接セルのチャネル測定を行い、前記非同期隣接セルのＤＭＴＣ情報に基づいて前記非同期隣接セルのチャネル測定を行い、
前記第１隣接セルＤＭＴＣ情報は、第１同期識別子と、前記同期隣接セルのＤＭＴＣ期間、前記同期隣接セルのＤＭＴＣ周期および前記同期隣接セルのＤＭＴＣオフセットのうちの少なくとも１つを含む第１ＤＭＴＣパラメータとを含む情報設定装置。
【請求項６０】
ユーザ機器であるＵＥ宛に、同期隣接セルのＤＭＴＣ情報および非同期隣接セルのＤＭＴＣ情報を送信するかを決定することと、
前記同期隣接セルのＤＭＴＣ情報および前記非同期隣接セルのＤＭＴＣ情報を前記ＵＥ宛に送信すると決定した場合、第１同期識別子と、前記同期隣接セルのＤＭＴＣ期間、前記同期隣接セルのＤＭＴＣ周期および前記同期隣接セルのＤＭＴＣオフセットのうちの少なくとも１つを含む第１ＤＭＴＣパラメータとを含み、前記同期隣接セルのＤＭＴＣ情報および前記非同期隣接セルのＤＭＴＣ情報を前記ＵＥに指示するための第１隣接セルＤＭＴＣ情報を前記ＵＥ宛に送信することとを実現する指令が格納されているコンピュータ読み取り可能な記憶媒体。
【請求項６１】
同期隣接セルのＤＭＴＣ情報および非同期隣接セルのＤＭＴＣ情報を指示するための第１隣接セルＤＭＴＣ情報を基地局から受信することと、
前記第１隣接セルＤＭＴＣ情報に基づいて前記同期隣接セルのＤＭＴＣ情報および前記非同期隣接セルのＤＭＴＣ情報を取得することと、
前記同期隣接セルのＤＭＴＣ情報に基づいて前記同期隣接セルのチャネル測定を行い、前記非同期隣接セルのＤＭＴＣ情報に基づいて前記非同期隣接セルのチャネル測定を行うこととを実現する指令が格納されているコンピュータ読み取り可能な記憶媒体であって、
前記第１隣接セルＤＭＴＣ情報は、第１同期識別子と、前記同期隣接セルのＤＭＴＣ期間、前記同期隣接セルのＤＭＴＣ周期および前記同期隣接セルのＤＭＴＣオフセットのうちの少なくとも１つを含む第１ＤＭＴＣパラメータとを含むコンピュータ読み取り可能な記憶媒体。
【発明の詳細な説明】
【優先権情報】
【０００１】
本願は、２０１６年９月１３日に中国特許庁に提出された中国特許出願番号が２０１６１０８２３００６．８である先の出願の優先権を主張するものであり、全ての先の出願の内容が援用により本願に組み入れられる。
【技術分野】
【０００２】
本発明は、通信技術分野に関し、特に、情報設定方法および装置に関するものである。
【背景技術】
【０００３】
ＭｕｌｔｅＦｉｒｅは、ＬＴＥ（Ｌｏｎｇ  Ｔｅｒｍ  Ｅｖｏｌｕｔｉｏｎ）をアンライセンスバンドに拡張させる無線アクセス技術である。当該技術は、ライセンスバンドの搬送波を介することなくアンランセンススペクトルで独立に運用することができる。アンライセンスバンドにある他の機器（例えばＷｉＦｉ機器）がアンライセンスバンドのチャネルを公平に占有することやアンライセンスバンドの機器同士による相互干渉の回避を図るために、ＭＦ物理レイヤでは、ＷｉＦｉの搬送波モニタリング技術に類似するＬＢＴ（Ｌｉｓｔｅｎ  Ｂｅｆｏｒｅ  Ｔａｌｋ）メカニズムが導入されている。基地局または端末は、アンライセンスバンドのチャネルが占有されたこと、すなわちＬＢＴの失敗をモニタリングすると、信号送信が停止になるが、チャネルが空いていて、すなわちＬＢＴの成功をモニタリングしてから信号を送信する。
【０００４】
ＬＢＴメカニズムにおける基地局のダウンリンクコモン制御信号の伝送効率を向上させるには、ＭｕｌｔｅＦｉｒｅにおいて、ＤＲＳ（Ｄｉｓｃｏｖｅｒｙ  Ｒｅｆｅｒｅｎｃｅ  Ｓｉｇｎａｌ）が導入されている。ＤＲＳは、主なダウンリンクコモン制御信号を含み、システムブロードキャスト、ＰＳＳ（Ｐｒｉｍａｒｙ  Ｓｙｎｃ  Ｓｉｇｎａｌ）、ＳＳＳ（Ｓｅｃｏｎｄａｒｙ  Ｓｙｎｃ  Ｓｉｇｎａｌ）、ｅＰＳＳ（ｅｎｈａｎｃｅｄ  Ｐｒｉｍａｒｙ  Ｓｙｎｃ  Ｓｉｇｎａｌ）、ｅＳＳＳ（ｅｎｈａｎｃｅｄ  Ｓｅｃｏｎｄａｒｙ  Ｓｙｎｃ  Ｓｉｇｎａｌ）、ＣＲＳ（Ｃｅｌｌ  Ｒｅｆｅｒｅｎｃｅ  Ｓｉｇｎａｌ）、ＭＩＢ（Ｍａｓｔｅｒ  Ｉｎｆｏｒｍａｔｉｏｎ  Ｂｌｏｃｋ）およびＳＩＢ−ＭＦ（Ｓｙｓｔｅｍ  Ｉｎｆｏｒｍａｔｉｏｎ  Ｂｌｏｃｋ  Ｍｕｌｔｅｆｉｒｅ）が含まれて入る。ＤＲＳは、１つのダウンリンクサブフレームの１２個または１４個のシンボル（Ｓｙｍｂｏｌ）を占有する。
【０００５】
ＵＥ（Ｕｓｅｒ  Ｅｑｕｉｐｍｅｎｔ；ユーザ機器）は、ＤＭＴＣ（Ｄｉｓｃｏｖｅｒｙ  Ｓｉｇｎａｌｓ  Ｍｅａｓｕｒｅｍｅｎｔ  Ｔｉｍｉｎｇ  Ｃｏｎｆｉｇｕｒａｔｉｏｎ）ウィンドウ内でＤＲＳを受信してダウンリンクの同期、ＭＩＢとＳＩＢ−ＭＦの受信を行う。ＭＦセルは、ＤＲＳサブフレームまたは他のＰＤＳＣＨ（Ｐｈｙｓｉｃａｌ  Ｄｏｗｎｌｉｎｋ  Ｓｈａｒｅｄ  Ｃｈａｎｎｅｌ）送信のあるサブフレームのみでＣＲＳを送信する。従って、ＵＥは、セル選択、セル再選択またはハンドオーバーのために、ＤＭＴＣウィンドウ内でのみＭＦサービングセルまたはＭＦ隣接セルのチャネル測定を行う。
【０００６】
関連技術において、基地局からＭＦ隣接セルのＤＭＴＣ情報が送信される場合、基地局に同期するＭＦ隣接セルのＤＴＭＣ情報、または基地局に同期しないＭＦ隣接セルのＤＴＭＣ情報しか送信されない。ＵＥは、同期隣接セルおよび非同期隣接セルのチャネル品質の同時測定が必要となる場合、同期隣接セルおよび非同期隣接セルのＤＭＴＣ情報を同時に取得することができず、サービスが順調に行われることに影響を与える。
【発明の概要】
【発明が解決しようとする課題】
【０００７】
これに鑑みて、本発明は、ＵＥが同期隣接セルおよび非同期隣接セルのＤＭＴＣ情報を同時に取得することができないため同期隣接セルと非同期隣接セルのチャネル品質を同時に測定できないことに起因してサービスが順調に進められないという関連技術の問題を解決するための情報設定方法および装置を提供する。
【課題を解決するための手段】
【０００８】
上記の技術的課題を解決するために、本発明の情報設定方法は、ユーザ機器であるＵＥ宛に同期隣接セルのＤＭＴＣ情報および非同期隣接セルのＤＭＴＣ情報を送信するかを決定することと、前記同期隣接セルのＤＭＴＣ情報および前記非同期隣接セルのＤＭＴＣ情報を前記ＵＥ宛に送信すると決定した場合、前記同期隣接セルのＤＭＴＣ情報および前記非同期隣接セルのＤＭＴＣ情報を前記ＵＥに指示するための第１隣接セルＤＭＴＣ情報を前記ＵＥ宛に送信することとを含み、前記第１隣接セルＤＭＴＣ情報は、第１同期識別子と、第１ＤＭＴＣパラメータとを含み、前記第１ＤＭＴＣパラメータは、前記同期隣接セルのＤＭＴＣ期間、前記同期隣接セルのＤＭＴＣ周期および前記同期隣接セルのＤＭＴＣオフセットのうちの少なくとも１つを含む。
【０００９】
第２の態様として、本発明の情報設定方法は、同期隣接セルのＤＭＴＣ情報および非同期隣接セルのＤＭＴＣ情報を指示するための第１隣接セルＤＭＴＣ情報を基地局から受信することと、前記第１隣接セルＤＭＴＣ情報に基づいて前記同期隣接セルのＤＭＴＣ情報および前記非同期隣接セルのＤＭＴＣ情報を取得することと、前記同期隣接セルのＤＭＴＣ情報に基づいて前記同期隣接セルのチャネル測定を行い、前記非同期隣接セルのＤＭＴＣ情報に基づいて前記非同期隣接セルのチャネル測定を行うこととを含み、前記第１隣接セルＤＭＴＣ情報は、第１同期識別子と、第１ＤＭＴＣパラメータとを含み、前記第１ＤＭＴＣパラメータは、前記同期隣接セルのＤＭＴＣ期間、前記同期隣接セルのＤＭＴＣ周期および前記同期隣接セルのＤＭＴＣオフセットのうちの少なくとも１つを含む。
【００１０】
第３の態様として、本発明の情報設定装置は、ユーザ機器であるＵＥ宛に同期隣接セルのＤＭＴＣ情報および非同期隣接セルのＤＭＴＣ情報を送信するかを決定するための判断モジュールと、前記同期隣接セルのＤＭＴＣ情報および前記非同期隣接セルのＤＭＴＣ情報を前記ＵＥ宛に送信すると決定した場合、前記同期隣接セルのＤＭＴＣ情報および前記非同期隣接セルのＤＭＴＣ情報を前記ＵＥに指示するための第１隣接セルＤＭＴＣ情報を前記ＵＥ宛に送信するための第１情報送信モジュールとを備え、前記第１隣接セルＤＭＴＣ情報は、第１同期識別子と、第１ＤＭＴＣパラメータとを含み、前記第１ＤＭＴＣパラメータは、前記同期隣接セルのＤＭＴＣ期間、前記同期隣接セルのＤＭＴＣ周期および前記同期隣接セルのＤＭＴＣオフセットのうちの少なくとも１つを含む。
【００１１】
第４の態様として、本発明の情報設定装置は、同期隣接セルのＤＭＴＣ情報および非同期隣接セルのＤＭＴＣ情報を指示するための第１隣接セルＤＭＴＣ情報を基地局から受信するための第１情報受信モジュールと、前記第１隣接セルＤＭＴＣ情報に基づいて前記同期隣接セルのＤＭＴＣ情報および前記非同期隣接セルのＤＭＴＣ情報を取得するための情報取得モジュールと、前記同期隣接セルのＤＭＴＣ情報に基づいて前記同期隣接セルのチャネル測定を行い、前記非同期隣接セルのＤＭＴＣ情報に基づいて前記非同期隣接セルのチャネル測定を行うためのチャネル測定モジュールとを備え、前記第１隣接セルＤＭＴＣ情報は、第１同期識別子と、第１ＤＭＴＣパラメータとを含み、前記第１ＤＭＴＣパラメータは、前記同期隣接セルのＤＭＴＣ期間、前記同期隣接セルのＤＭＴＣ周期および前記同期隣接セルのＤＭＴＣオフセットのうちの少なくとも１つを含む。
【００１２】
また、本発明は、プロセッサと、メモリと、発信機とを含む情報設定装置を提供する。前記プロセッサは、前記メモリに格納されているプログラムまたはデータを呼び出して実行することによって、ユーザ機器であるＵＥ宛に同期隣接セルのＤＭＴＣ情報および非同期隣接セルのＤＭＴＣ情報を送信するかを決定する。前記発信機は、前記プロセッサによって前記同期隣接セルのＤＭＴＣ情報および前記非同期隣接セルのＤＭＴＣ情報を前記ＵＥ宛に送信すると決定した場合、前記同期隣接セルのＤＭＴＣ情報および前記非同期隣接セルのＤＭＴＣ情報を前記ＵＥに指示するための第１隣接セルＤＭＴＣ情報を前記ＵＥ宛に送信する。前記第１隣接セルＤＭＴＣ情報は、第１同期識別子と、第１ＤＭＴＣパラメータとを含み、前記第１ＤＭＴＣパラメータは、前記同期隣接セルのＤＭＴＣ期間、前記同期隣接セルのＤＭＴＣ周期および前記同期隣接セルのＤＭＴＣオフセットのうちの少なくとも１つを含む。
【００１３】
本発明は、プロセッサと、メモリと、受信機とを備える情報設定装置をさらに提供している。前記受信機は、同期隣接セルのＤＭＴＣ情報および非同期隣接セルのＤＭＴＣ情報を指示するための第１隣接セルＤＭＴＣ情報を基地局から受信する。前記プロセッサは、前記メモリに格納されているプログラムまたはデータを呼び出して実行することによって、前記受信機が受信した前記第１隣接セルＤＭＴＣ情報に基づいて前記同期隣接セルのＤＭＴＣ情報および前記非同期隣接セルのＤＭＴＣ情報を取得し、前記同期隣接セルのＤＭＴＣ情報に基づいて前記同期隣接セルのチャネル測定を行い、前記非同期隣接セルのＤＭＴＣ情報に基づいて前記非同期隣接セルのチャネル測定を行う。前記第１隣接セルＤＭＴＣ情報は、第１同期識別子と、第１ＤＭＴＣパラメータとを含む。前記第１ＤＭＴＣパラメータは、前記同期隣接セルのＤＭＴＣ期間、前記同期隣接セルのＤＭＴＣ周期および前記同期隣接セルのＤＭＴＣオフセットのうちの少なくとも１つを含む。
【００１４】
本発明は、ユーザ機器であるＵＥ宛に同期隣接セルのＤＭＴＣ情報および非同期隣接セルのＤＭＴＣ情報を送信するかを決定することと、前記同期隣接セルのＤＭＴＣ情報および前記非同期隣接セルのＤＭＴＣ情報を前記ＵＥ宛に送信すると決定した場合、前記同期隣接セルのＤＭＴＣ情報および前記非同期隣接セルのＤＭＴＣ情報を前記ＵＥに指示するための第１隣接セルＤＭＴＣ情報を前記ＵＥ宛に送信することとを実現する指令が格納されているコンピュータ読み取り可能な記憶媒体をさらに提供し、前記第１隣接セルＤＭＴＣ情報は、第１同期識別子と、第１ＤＭＴＣパラメータとを含み、前記第１ＤＭＴＣパラメータは、前記同期隣接セルのＤＭＴＣ期間、前記同期隣接セルのＤＭＴＣ周期および前記同期隣接セルのＤＭＴＣオフセットのうちの少なくとも１つを含む。
【００１５】
本発明は、同期隣接セルのＤＭＴＣ情報および非同期隣接セルのＤＭＴＣ情報を指示するための第１隣接セルＤＭＴＣ情報を基地局から受信することと、前記第１隣接セルＤＭＴＣ情報に基づいて前記同期隣接セルのＤＭＴＣ情報および前記非同期隣接セルのＤＭＴＣ情報を取得することと、前記同期隣接セルのＤＭＴＣ情報に基づいて前記同期隣接セルのチャネル測定を行い、前記非同期隣接セルのＤＭＴＣ情報に基づいて前記非同期隣接セルのチャネル測定を行うこととを実現する指令が格納されているコンピュータ読み取り可能な記憶媒体をさらに提供し、前記第１隣接セルＤＭＴＣ情報は、第１同期識別子と、第１ＤＭＴＣパラメータとを含む。前記第１ＤＭＴＣパラメータは、前記同期隣接セルのＤＭＴＣ期間、前記同期隣接セルのＤＭＴＣ周期および前記同期隣接セルのＤＭＴＣオフセットのうちの少なくとも１つを含む。
【００１６】
本発明の実施例において、同期隣接セルと非同期隣接セルのＤＭＴＣ情報のＵＥによる同時取得を決定すると、第１隣接セルＤＭＴＣ情報を利用して同期隣接セルおよび非同期隣接セルのＤＭＴＣ情報をＵＥに指示することによって、ＵＥが同期隣接セルおよび非同期隣接セルのチャネル測定を同時に行うことができ、サービスが順調に進められることが保証される。
【図面の簡単な説明】
【００１７】
【図１】本発明の実施例１に係る情報設定方法のフローチャートである。
【図２】本発明の実施例２に係る情報設定方法のフローチャートである。
【図３】本発明の実施例３に係る情報設定方法のフローチャートである。
【図４】本発明の実施例４に係る情報設定装置の概要図である。
【図５】本発明の実施例４に係る情報設定装置の構造図である。
【図６】本発明の実施例５に係る情報設定装置の概要図である。
【図７】本発明の実施例５に係る情報設定装置の構造図である。
【発明を実施するための形態】
【００１８】
以下、図面と実施例を参照して、本発明の具体的な実施形態をさらに詳細に記載する。以下の実施例は、本発明の説明に用いられるものであって、本発明の範囲を限定するためのものではない。
【００１９】
実際の応用において、基地局は、サービングセル、周波数内（ｉｎｔｒａ−ｆｒｅｑｕｅｎｃｙ）隣接セルおよび周波数間（ｉｎｔｅｒ−ｆｒｅｑｕｅｎｃｙ）隣接セルのＤＭＴＣ情報をＵＥにそれぞれ送信する。現在のＭＦサービングセルのＤＭＴＣ情報をＳＩＢ−ＭＦによってブロードキャストし、周波数内ＭＦ隣接セルのＤＭＴＣ情報をＳＩＢ３によってブロードキャストしまたはＵＥ専用のＲＲＣメッセージによって送信し、指定周波数点における周波数間ＭＦ隣接セルのＤＭＴＣ情報をＳＩＢ５によってブロードキャストしまたはＵＥ専用のＲＲＣメッセージによって送信することによって、ＵＥは、ＤＭＴＣ情報に基づいてＭＦサービングセル、周波数内隣接セルおよび周波数間隣接セルの測定タイミングウィンドウを取得してチャネル測定を行う。ＭＦサービングセルのＤＭＴＣ情報は、ＤＭＴＣパラメータを含む。ＤＭＴＣパラメータは、ＤＭＴＣ期間（ｄｍｔｃ−ｄｕｒａｔｉｏｎ）、ＤＭＴＣ周期（ｄｍｔｃ−Ｐｅｒｉｏｄｉｃｉｔｙ）およびＤＭＴＣオフセット（ｄｍｔｃ−Ｏｆｆｓｅｔ）を含む。ここで、ＤＭＴＣ周期は、４０ｍｓ、８０ｍｓまたは１６０ｍｓであり、ＤＭＴＣオフセットは、０〜１５９である。
【００２０】
ＵＥは、ＭＦサービングセルのＤＭＴＣ情報に基づいて、以下の式によって、ＭＦサービングセルのＤＭＴＣウィンドウ位置を決定し、ＤＭＴＣウィンドウ内のみでサービングセルのチャネル測定を行う。
ＤＭＴＣ開始フレーム番号ｍｏｄ  Ｔ＝ＦＬＯＯＲ（ｄｍｔｃ−Ｏｆｆｓｅｔ／１０）
ＤＭＴＣ開始サブフレーム番号＝ｄｍｔｃ−Ｏｆｆｓｅｔ  ｍｏｄ  １０
Ｔ＝ｄｍｔｃ−Ｐｅｒｉｏｄｉｃｉｔｙ／１０
【００２１】
ＭＦ隣接セルとサービングセルとのフレームタイミングオフセットが２ｍｓ以下であり、または、ＭＦ隣接セルとサービングセルとのサブフレームタイミングが同期する場合、ＭＦ隣接セルは、サービングセルに同期するが、逆の場合、サービングセルに同期しない。ＭＦ隣接セルとサービングセルとのフレームタイミングオフセットとは、隣接セルとサービングセルの同一フレーム番号の無線フレームの開始時刻の時間差である。基地局にとって、同期ＭＦ隣接セルのＤＭＴＣオフセットは、既知であるが、非同期隣接セルのＤＭＴＣオフセットは、未知である。
【００２２】
しかし、基地局からＭＦ隣接セルのＤＭＴＣ情報が送信される場合、基地局に同期するＭＦ隣接セルのＤＴＭＣ情報、または基地局に同期しないＭＦ隣接セルのＤＴＭＣ情報しか送信されず、同期ＭＦ隣接セルのＤＴＭＣ情報および非同期ＭＦ隣接セルのＤＴＭＣ情報の同時送信ができない。基地局は、ＵＥによる同期隣接セルおよび非同期隣接セルのチャネル品質の同時測定が必要となる場合、同期隣接セルおよび非同期隣接セルのＤＭＴＣ情報をＵＥに指示することができない。そこで、本発明は、ＵＥによる同期隣接セルのＤＭＴＣ情報および非同期隣接セルのＤＭＴＣ情報の同時取得を可能にする情報設定方法を提供する。以下、各実施例を参照して本発明の実施例を詳細に記載する。
【実施例１】
【００２３】
図１に示すように、本発明の実施例１の情報設定方法は、基地局に応用され、以下のステップを含む。
【００２４】
ステップ１０１において、ＵＥ宛に同期隣接セルのＤＭＴＣ情報および非同期隣接セルのＤＭＴＣ情報を送信するかを決定する。
【００２５】
具体的な応用において、基地局は、ＯＡＭ（Ｏｐｅｒａｔｉｏｎｓ，Ａｄｍｉｎｉｓｔｒａｔｉｏｎ  ａｎｄ  Ｍａｉｎｔｅｎａｎｃｅ）の設定によって、隣接セルが同期セルであるか非同期セルであるか、および隣接セルのＤＭＴＣ情報を決定する。また、基地局は、隣接セルが同期セルであるか非同期セルであるか、および隣接セルのＤＭＴＣ情報を、ネットワーク自動設定機能によって隣接基地局から把握したり、ＵＥの測定レポートメッセージから把握したりする。また、基地局は、隣接セルのブロードキャストメッセージを直接モニタリングすることによって、隣接セルが同期セルであるか非同期セルであるか、および隣接セルのＤＭＴＣ情報を把握する。
【００２６】
ステップ１０２において、同期隣接セルのＤＭＴＣ情報および非同期隣接セルのＤＭＴＣ情報をＵＥ宛に送信すると決定した場合、同期隣接セルのＤＭＴＣ情報および非同期隣接セルのＤＭＴＣ情報をＵＥに指示するための第１隣接セルＤＭＴＣ情報をＵＥ宛に送信する。
【００２７】
ここで、第１隣接セルＤＭＴＣ情報は、第１同期識別子と、第１ＤＭＴＣパラメータとを含む。第１ＤＭＴＣパラメータは、同期隣接セルのＤＭＴＣ期間（ｄｍｔｃ−ｄｕｒａｔｉｏｎ）、同期隣接セルのＤＭＴＣ周期（ｄｍｔｃ−Ｐｅｒｉｏｄｉｃｉｔｙ）および同期隣接セルのＤＭＴＣオフセット（ｄｍｔｃ−Ｏｆｆｓｅｔ）のうちの少なくとも１つを含む。
【００２８】
上記記載によれば、本発明の実施例において、ＵＥによる同期隣接セルおよび非同期隣接セルのＤＭＴＣ情報の同時取得を決定すると、第１隣接セルＤＭＴＣ情報を利用して同期隣接セルおよび非同期隣接セルのＤＭＴＣ情報をＵＥに指示することによって、ＵＥが同期隣接セルおよび非同期隣接セルのチャネル測定を同時に行い、サービスが順調に進められることを保証することが分かる。
【実施例２】
【００２９】
図２に示すように、本発明の実施例２の情報設定方法は、ＵＥに応用され、以下のステップを含む。
【００３０】
ステップ２０１において、同期隣接セルのＤＭＴＣ情報および非同期隣接セルのＤＭＴＣ情報を指示するための第１隣接セルＤＭＴＣ情報を基地局から受信する。
【００３１】
具体的に、基地局は、周波数内隣接セルの第１隣接セルＤＭＴＣ情報をＳＩＢ（Ｓｙｓｔｅｍ  Ｉｎｆｏｒｍａｔｉｏｎ  Ｂｌｏｃｋｓ）３ブロードキャストメッセージまたはＵＥ専用の無線リソース制御（ＲＲＣ：Ｒａｄｉｏ  Ｒｅｓｏｕｒｃｅ  Ｃｏｎｔｒｏｌ）メッセージ（例えば、測定設定情報）によって送信し、指定周波数点における周波数間隣接セルの第１隣接セルＤＭＴＣ情報をＳＩＢ５ブロードキャストメッセージまたはＵＥ専用のＲＲＣメッセージ（例えば、測定設定情報）によって送信する。
【００３２】
このステップにおいて、対応的に、ＵＥは、周波数内隣接セルの第１隣接セルＤＭＴＣ情報をＳＩＢ３ブロードキャストメッセージまたはＵＥ専用の無線リソース制御ＲＲＣメッセージによって受信し、指定周波数点における周波数間隣接セルの第１隣接セルＤＭＴＣ情報をＳＩＢ５ブロードキャストメッセージまたはＵＥ専用の無線リソース制御ＲＲＣメッセージによって受信する。
【００３３】
ここで、第１隣接セルＤＭＴＣ情報は、第１同期識別子と、第１ＤＭＴＣパラメータとを含む。第１ＤＭＴＣパラメータは、同期隣接セルのＤＭＴＣ期間、同期隣接セルのＤＭＴＣ周期および同期隣接セルのＤＭＴＣオフセットのうちの少なくとも１つを含む。
【００３４】
ステップ２０２において、第１隣接セルＤＭＴＣ情報に基づいて同期隣接セルのＤＭＴＣ情報および非同期隣接セルのＤＭＴＣ情報を取得する。
【００３５】
具体的に、このステップにおいて、ＵＥは、第１同期識別子が非同期を指示すると決定した場合、第１隣接セルＤＭＴＣ情報に基づいて同期隣接セルのＤＭＴＣ情報および非同期隣接セルのＤＭＴＣ情報を取得する。
【００３６】
または、このステップにおいて、ＵＥは、第１ＤＭＴＣパラメータに第２ＤＭＴＣパラメータをさらに含むと決定した場合、第１隣接セルＤＭＴＣ情報に基づいて同期隣接セルのＤＭＴＣ情報および非同期隣接セルのＤＭＴＣ情報を取得する。ここで、第２ＤＭＴＣパラメータは、非同期隣接セルのＤＭＴＣ期間、非同期隣接セルのＤＭＴＣ周期および非同期隣接セルのＤＭＴＣオフセットのうちの少なくとも１つを含む。
【００３７】
ステップ２０３において、同期隣接セルのＤＭＴＣ情報に基づいて同期隣接セルのチャネル測定を行い、非同期隣接セルのＤＭＴＣ情報に基づいて非同期隣接セルのチャネル測定を行う。
【００３８】
上記記載によれば、本発明の実施例において、ＵＥによる同期隣接セルおよび非同期隣接セルのＤＭＴＣ情報の同時取得を決定すると、第１隣接セルＤＭＴＣ情報を利用して同期隣接セルおよび非同期隣接セルのＤＭＴＣ情報をＵＥに指示することによって、ＵＥが同期隣接セルおよび非同期隣接セルのチャネル測定を同時に行い、サービスが順調に進められることを保証することが分かる。
【実施例３】
【００３９】
図３に示すように、本発明の実施例３の情報設定方法は、以下のステップを含む。
【００４０】
ステップ３０１において、基地局は、ＵＥ宛に同期隣接セルのＤＭＴＣ情報および非同期隣接セルのＤＭＴＣ情報を送信するかを決定する。
【００４１】
このステップは、上記の実施例１のステップ１０１の記載を参照されたい。
【００４２】
ＵＥ宛に同期隣接セルのＤＭＴＣ情報および非同期隣接セルのＤＭＴＣ情報を送信すると決定した場合、ステップ３０２からステップ３０４を実行する。同期隣接セルのＤＭＴＣ情報のみをＵＥ宛に送信すると決定した得場合、ステップ３０５からステップ３０７を実行する。非同期隣接セルのＤＭＴＣ情報のみをＵＥ宛に送信すると決定した得場合、ステップ３０８からステップ３１０を実行する。
【００４３】
ステップ３０２において、同期隣接セルのＤＭＴＣ情報および非同期隣接セルのＤＭＴＣ情報をＵＥ宛に送信すると決定した場合、基地局は、同期隣接セルのＤＭＴＣ情報および非同期隣接セルのＤＭＴＣ情報をＵＥに指示するための第１隣接セルＤＭＴＣ情報をＵＥ宛に送信する。
【００４４】
ここで、第１隣接セルＤＭＴＣ情報は、第１同期識別子と、第１ＤＭＴＣパラメータとを含む。第１ＤＭＴＣパラメータは、同期隣接セルのＤＭＴＣ期間、同期隣接セルのＤＭＴＣ周期および同期隣接セルのＤＭＴＣオフセットのうちの少なくとも１つを含む。
【００４５】
一部の実施可能な実施形態において、第１隣接セルＤＭＴＣ情報は、第２ＤＭＴＣパラメータをさらに含んでいてもよい。第２ＤＭＴＣパラメータは、非同期隣接セルのＤＭＴＣ期間、非同期隣接セルのＤＭＴＣ周期および非同期隣接セルのＤＭＴＣオフセットのうちの少なくとも１つを含む。
【００４６】
本発明の実施例において、多種類の方式で同期隣接セルのＤＭＴＣ情報および非同期隣接セルのＤＭＴＣ情報をＵＥに指示することができる。
【００４７】
方式１：第１同期識別子は、非同期を指示する。
【００４８】
この方式では、基地局は、非同期隣接セルのＤＭＴＣパラメータをＵＥに指示せず、単に第１同期識別子が非同期であることによって非同期隣接セルのチャネル品質測定をＵＥに指示する。
【００４９】
この方式では、第１同期識別子は、明示的な標識であってもよく、暗示的な標識であってもよい。具体的に、基地局は、第１同期識別子によって非同期隣接セルのチャネル品質測定をＵＥに明示的に指示してもよく、ＲＲＣの符号化構造によって非同期隣接セルのチャネル品質測定をＵＥに暗示的に指示してもよい。例えば、具体的な実現において、第２ＤＭＴＣパラメータ符号化構造の存在によって、非同期隣接セルのチャネル品質測定をＵＥに指示する。しかし、当該方式では、第２ＤＭＴＣパラメータ符号化構造は、第２ＤＭＴＣパラメータをいっさい含まない。
【００５０】
ＵＥは、第１ＤＭＴＣパラメータに基づいて同期隣接セルのＤＭＴＣパラメータを取得し、非同期隣接セルのＤＭＴＣパラメータを指定値に決定する。当該指定値は、ＵＥと基地局の間で予め約束されたデフォルト値であってもよく、ＵＥが自ら選択した任意の値であってもよい。
【００５１】
方式２：第１隣接セルＤＭＴＣ情報は、第１ＤＭＴＣパラメータを含むほか、第２ＤＭＴＣパラメータをさらに含む。
【００５２】
この方式では、基地局は、第２ＤＭＴＣパラメータによって、非同期隣接セルのＤＭＴＣパラメータをＵＥに指示する。
【００５３】
第１同期識別子は、明示的な標識であってもよく、暗示的な標識であってもよい。具体的に、基地局は、第１同期識別子によって非同期隣接セルのチャネル品質測定をＵＥに明示的に指示してもよく、ＲＲＣの符号化構造によって非同期隣接セルのチャネル品質測定をＵＥに暗示的に指示してもよい。例えば、具体的な実現において、第２ＤＭＴＣパラメータ符号化構造の存在によって非同期隣接セルのチャネル品質測定をＵＥに指示する。
【００５４】
ＵＥは、第１ＤＭＴＣパラメータに基づいて同期隣接セルのＤＭＴＣパラメータを取得し、第２ＤＭＴＣパラメータに基づいて非同期隣接セルのＤＭＴＣパラメータを取得する。
【００５５】
本発明の実施例において、以上２種類の方式のもとで、基地局から多種類の方式で同期隣接セルのＤＭＴＣ情報をＵＥに指示する。
【００５６】
方式１：基地局の第１隣接セルＤＭＴＣ情報は、サービングセルのＤＭＴＣ周期を同期隣接セルのＤＭＴＣ周期として使用するようにＵＥに指示、および／または、サービングセルのＤＭＴＣ期間を同期隣接セルのＤＭＴＣ期間として使用するようにＵＥに指示するための第１指示情報をさらに含む。
【００５７】
例えば、第１ＤＭＴＣパラメータに同期隣接セルのＤＭＴＣオフセットのみを含む場合、基地局は、第１指示情報によって、サービングセルのＤＭＴＣ周期を同期隣接セルのＤＭＴＣ周期として使用するようにＵＥに指示、および／または、サービングセルのＤＭＴＣ期間を同期隣接セルのＤＭＴＣ期間として使用するようにＵＥに指示する。
【００５８】
上記第１指示情報は、明示的な指示情報であってもよく、暗示的な指示情報であってもよい。
【００５９】
方式２：基地局の第１隣接セルＤＭＴＣ情報は、同期隣接セルのＤＭＴＣ周期および／または同期隣接セルのＤＭＴＣ期間が指定値であることをＵＥに指示するための第２指示情報をさらに含む。
【００６０】
上記第２指示情報は、明示的な指示情報であってもよく、暗示的な指示情報であってもよい。当該指定値は、ＵＥと基地局の間で予め約束されたデフォルト値であってもよく、ＵＥが自ら選択した任意の値であってもよい。
【００６１】
ステップ３０３において、ＵＥは、第１隣接セルＤＭＴＣ情報に基づいて、同期隣接セルのＤＭＴＣ情報および非同期隣接セルのＤＭＴＣ情報を取得する。
【００６２】
このステップにおいて、ＵＥは、まず、第１同期識別子が非同期を示すという条件を満たすかを決定する。第１同期識別子が非同期を示すと決定した場合、第１隣接セルＤＭＴＣ情報に基づいて、同期隣接セルのＤＭＴＣ情報および非同期隣接セルのＤＭＴＣ情報を取得する。
【００６３】
第１同期識別子は、明示的な標識であってもよく、暗示的な標識であってもよい。具体的に、ＵＥは、明示的な第１同期識別子（非同期を指示する）によって、非同期隣接セルのチャネル品質測定が必要であることを把握してもよく、ＲＲＣの符号化構造によって、非同期隣接セルのチャネル品質測定を暗示的にＵＥに指示してもよい。例えば、具体的な実現において、第２ＤＭＴＣパラメータ符号化構造の存在によって、非同期隣接セルのチャネル品質測定が必要であることを把握する。
【００６４】
または、ＵＥは、まず、第１隣接セルＤＭＴＣ情報に第２ＤＭＴＣパラメータをさらに含むかを決定する。第１隣接セルＤＭＴＣ情報に第２ＤＭＴＣパラメータをさらに含むと決定した場合、第１隣接セルＤＭＴＣ情報に基づいて、同期隣接セルのＤＭＴＣ情報および非同期隣接セルのＤＭＴＣ情報を取得する。
【００６５】
具体的に、このステップにおいて、ＵＥは、以下の方式で同期隣接セルのＤＭＴＣ情報を決定する。
【００６６】
方式１：サービングセルのＤＭＴＣ周期を同期隣接セルのＤＭＴＣ周期として使用するように決定、および／または、サービングセルのＤＭＴＣ期間を同期隣接セルのＤＭＴＣ期間として使用するように決定する。
【００６７】
具体的に、この方式において、ＵＥは、基地局の指示に基づいて、サービングセルのＤＭＴＣ周期を同期隣接セルのＤＭＴＣ周期として使用するように決定、および／または、サービングセルのＤＭＴＣ期間を同期隣接セルのＤＭＴＣ期間として使用するように決定する。この場合、ＵＥは、第１隣接セルＤＭＴＣ情報のうちの第１指示情報を取得し、第１指示情報に基づいて、サービングセルのＤＭＴＣ周期を同期隣接セルのＤＭＴＣ周期として使用するように決定、および／または、サービングセルのＤＭＴＣ期間を同期隣接セルのＤＭＴＣ期間として使用するように決定する。
【００６８】
または、この方式において、ＵＥは、基地局との事前の約束に基づいて、サービングセルのＤＭＴＣ周期を同期隣接セルのＤＭＴＣ周期として使用するように決定、および／または、サービングセルのＤＭＴＣ期間を同期隣接セルのＤＭＴＣ期間として使用するように決定する。
【００６９】
方式２：同期隣接セルのＤＭＴＣ周期および／または同期隣接セルのＤＭＴＣ期間が指定値であると決定する。
【００７０】
具体的に、この方式において、ＵＥは、基地局の指示に基づいて、同期隣接セルのＤＭＴＣ周期および／または同期隣接セルのＤＭＴＣ期間が指定値であると決定する。具体的に、ＵＥは、第１隣接セルＤＭＴＣ情報のうちの第２指示情報を取得し、第２指示情報に基づいて、同期隣接セルのＤＭＴＣ周期および／または同期隣接セルのＤＭＴＣ期間が指定値であると決定する。
【００７１】
上記第２指示情報は、明示的な指示情報であってもよく、暗示的な指示情報であってもよい。
【００７２】
ここで、当該指定値の具体的な数値は、基地局とＵＥとの間で事前に約束されたデフォルト値である。
【００７３】
または、この方式において、ＵＥは、自ら同期隣接セルのＤＭＴＣ周期および／または同期隣接セルのＤＭＴＣ期間が指定値であると決定してもよい。例えば、ＵＥは、同期隣接セルのＤＭＴＣ周期を指定周期（例えば最小ＤＭＴＣ周期４０ｍｓ）に決定し、または、同期隣接セルのＤＭＴＣ期間を指定期間（例えば最大ＤＭＴＣ期間１０ｍｓ）に決定する。
【００７４】
すなわち、全体的に言うと、第１ＤＭＴＣパラメータのうちのＤＭＴＣオフセットを同期隣接セルのＤＭＴＣオフセットとする。第１ＤＭＴＣパラメータに同期隣接セルのＤＭＴＣ期間、同期隣接セルのＤＭＴＣ周期のいずれかを含む場合、第１ＤＭＴＣパラメータに含まれているパラメータを、チャネル測定に使用されるパラメータとする。逆の場合、サービングセルのＤＭＴＣパラメータを同期隣接セルのＤＭＴＣパラメータとして使用し、または、第１ＤＭＴＣパラメータに欠けている同期隣接セルのＤＭＴＣパラメータを指定値に決定する。
【００７５】
具体的に、このステップにおいて、ＵＥは、以下の方式で非同期隣接セルのＤＭＴＣ情報を決定する。
【００７６】
ステップ３０２の方式１に対応し、ＵＥは、非同期隣接セルのＤＭＴＣ周期が、指定周期か、指定周期と指定オフセット量との和であると決定、および／または、非同期隣接セルのＤＭＴＣ期間が指定期間であると決定する。
【００７７】
例えば、ＵＥは、非同期隣接セルのＤＭＴＣ周期を指定周期（例えば最小ＤＭＴＣ周期４０ｍｓ）に決定し、または、非同期隣接セルのＤＭＴＣ期間を指定期間（例えば最大ＤＭＴＣ期間１０ｍｓ）に決定する。または、ＵＥは、非同期隣接セルのＤＭＴＣ周期が指定周期と指定オフセット量との和であると決定する。指定オフセット量は、指定期間−２または指定期間−１である。例えば、指定周期４０ｍｓ、指定期間１０ｍｓの場合、非同期隣接セルのＤＭＴＣ周期は、４８ｍｓ（４０＋（１０−２））または４９ｍｓ（４０＋（１０−１））である。
【００７８】
ステップ３０２の方式２に対応し、ＵＥは、以下の方式で非同期隣接セルのＤＭＴＣ情報を決定する。
【００７９】
ＵＥは、非同期隣接セルのＤＭＴＣ周期が第２ＤＭＴＣパラメータのうちのＤＭＴＣ周期であると決定、または、非同期隣接セルのＤＭＴＣ周期が第２ＤＭＴＣパラメータのうちのＤＭＴＣ周期と指定オフセット量との和であると決定、および／または、非同期隣接セルのＤＭＴＣ期間が指定期間であると決定、および／または、非同期隣接セルのＤＭＴＣオフセットが指定オフセットであると決定する。
【００８０】
本方式では、第２ＤＭＴＣパラメータに非同期隣接セルのＤＭＴＣ期間、非同期隣接セルのＤＭＴＣ周期および非同期隣接セルのＤＭＴＣオフセットのうちのいずれかを含んでいれば、第２ＤＭＴＣパラメータに含まれているパラメータを、チャネル測定に使用されるパラメータとする。逆の場合、欠けているパラメータを指定値に決定する。一方、第２ＤＭＴＣパラメータに非同期隣接セルのＤＭＴＣ周期を含む場合、チャネル測定に使用される非同期隣接セルのＤＭＴＣ周期として第２ＤＭＴＣパラメータのうちの値を利用できるほか、第２ＤＭＴＣパラメータのうちのＤＭＴＣ周期と指定オフセット量との和を、チャネル測定に使用される非同期隣接セルのＤＭＴＣ周期とする。
【００８１】
ステップ３０４において、ＵＥは、同期隣接セルのＤＭＴＣ情報に基づいて同期隣接セルのチャネル測定を行い、非同期隣接セルのＤＭＴＣ情報に基づいて非同期隣接セルのチャネル測定を行う。
【００８２】
ステップ３０５において、基地局は、ＵＥ宛に第２隣接セルＤＭＴＣ情報を送信する。ここで、第２隣接セルＤＭＴＣ情報は、同期を指示する第２同期識別子を含む。
【００８３】
この方式において、第２同期識別子は、明示的な標識であってもよく、暗示的な標識であってもよい。具体的に、基地局は、第２同期識別子（同期を指示する）によって、同期隣接セルのみのチャネル品質測定をＵＥに明示的に指示してもよく、ＲＲＣの符号化構造によって、ＵＥによる同期隣接セルのみのチャネル品質測定を暗示的に指示してもよい。例えば、具体的な実現において、第３ＤＭＴＣパラメータ符号化構造が存在するものの第４ＤＭＴＣパラメータ符号化構造が存在しないことによって、同期隣接セルのみのチャネル品質測定をＵＥに指示する。
【００８４】
このステップにおいて、第２隣接セルＤＭＴＣ情報は、第３指示情報をさらに含む。第３指示情報は、サービングセルのＤＭＴＣパラメータを同期隣接セルのＤＭＴＣパラメータとして使用するようにＵＥに指示、または、同期隣接セルのＤＭＴＣ期間、同期隣接セルのＤＭＴＣ周期および同期隣接セルのＤＭＴＣオフセットのうちの１つか複数の値が指定値であることをＵＥに指示する。ここで、サービングセルのＤＭＴＣパラメータは、サービングセルのＤＭＴＣ期間、サービングセルのＤＭＴＣ周期およびサービングセルのＤＭＴＣオフセットを含む。
【００８５】
ここで、当該指定値の具体的な数値は、基地局とＵＥとの間で事前に約束されたデフォルト値であってもよく、ＵＥが自ら決定してもよい。
【００８６】
上記第３指示情報は、明示的な指示情報であってもよく、暗示的な指示情報であってもよい。
【００８７】
さらに、第２隣接セルＤＭＴＣ情報は、少なくとも同期隣接セルのＤＭＴＣオフセットを含む第３ＤＭＴＣパラメータをさらに含む。
【００８８】
この場合、第２隣接セルＤＭＴＣ情報は、サービングセルのＤＭＴＣ期間を同期隣接セルのＤＭＴＣ期間として使用するようにＵＥに指示、および／または、サービングセルのＤＭＴＣ周期を同期隣接セルのＤＭＴＣ周期として使用するようにＵＥに指示ための第４指示情報をさらに含む、または、第２隣接セルＤＭＴＣ情報は、同期隣接セルのＤＭＴＣ期間、同期隣接セルのＤＭＴＣ周期のうちの少なくとも１つの値が指定値であることをＵＥに指示するための第５指示情報をさらに含む。ここで、当該指定値の具体的な数値は、基地局とＵＥとの間で事前に約束されたデフォルト値であってもよく、ＵＥが自ら決定してもよい。
【００８９】
上記第４指示情報、第５指示情報は、明示的な指示情報であってもよく、暗示的な指示情報であってもよい。
【００９０】
ＵＥは、第３ＤＭＴＣパラメータに基づいて同期隣接セルのＤＭＴＣパラメータを取得する。
【００９１】
ステップ３０６において、ＵＥは、基地局から第２隣接セルＤＭＴＣ情報を受信し、第２隣接セルＤＭＴＣ情報に基づいて、同期隣接セルのＤＭＴＣパラメータを決定する。
【００９２】
このステップにおいて、第２隣接セルＤＭＴＣ情報に第２同期識別子のみを含み、かつ第２同期識別子が同期を指示する場合、ＵＥは、サービングセルのＤＭＴＣパラメータを同期隣接セルのＤＭＴＣパラメータとして決定、および／または、同期隣接セルのＤＭＴＣ期間、同期隣接セルのＤＭＴＣ周期、同期隣接セルのＤＭＴＣオフセットのうちの少なくとも１つが指定値であると決定する。
【００９３】
具体的に、ＵＥは、基地局の指示に基づいて、サービングセルのＤＭＴＣパラメータを同期隣接セルの第２ＤＭＴＣパラメータとして決定、および／または、同期隣接セルのＤＭＴＣ期間、同期隣接セルのＤＭＴＣ周期、同期隣接セルのＤＭＴＣオフセットのうちの少なくとも１つの値を決定する。具体的に、ＵＥは、第２隣接セルＤＭＴＣ情報のうちの第３指示情報を取得し、第３指示情報に基づいて、サービングセルのＤＭＴＣパラメータを同期隣接セルの第２ＤＭＴＣパラメータとして決定、および／または、同期隣接セルのＤＭＴＣ期間、同期隣接セルのＤＭＴＣ周期、同期隣接セルのＤＭＴＣオフセットのうちの少なくとも１つが指定値であることを決定する。ここで、当該指定値の具体的な数値は、基地局からＵＥに同時に指示してもよく、ＵＥ自ら決定されてもよい。または、このステップにおいて、ＵＥは、基地局との事前の約束に基づいて、自らサービングセルのＤＭＴＣパラメータを同期隣接セルのＤＭＴＣパラメータとして決定、および／または、同期隣接セルのＤＭＴＣ期間、同期隣接セルのＤＭＴＣ周期、同期隣接セルのＤＭＴＣオフセットのうちの少なくとも１つが指定値であることを決定する。
【００９４】
第２隣接セルＤＭＴＣ情報は、少なくとも同期隣接セルのＤＭＴＣオフセットを含む第３ＤＭＴＣパラメータをさらに含む場合、ＵＥは、サービングセルのＤＭＴＣ期間を同期隣接セルのＤＭＴＣ期間として使用するように決定、および／または、サービングセルのＤＭＴＣ周期を同期隣接セルのＤＭＴＣ周期として使用するように決定する。ここで、ＵＥは、基地局の指示に基づいて、サービングセルのＤＭＴＣ期間を同期隣接セルのＤＭＴＣ期間として使用するように決定、および／または、サービングセルのＤＭＴＣ周期を同期隣接セルのＤＭＴＣ周期として使用するように決定する。具体的に、ＵＥは、第２隣接セルＤＭＴＣ情報のうちの第４指示情報を取得し、第４指示情報に基づいて、サービングセルのＤＭＴＣ期間を同期隣接セルのＤＭＴＣ期間として使用するように決定、および／または、サービングセルのＤＭＴＣ周期を同期隣接セルのＤＭＴＣ周期として使用するように決定する。または、ＵＥは、基地局との事前の約束に基づいて、自らサービングセルのＤＭＴＣ期間を同期隣接セルのＤＭＴＣ期間として使用するように決定、および／または、サービングセルのＤＭＴＣ周期を同期隣接セルのＤＭＴＣ周期として使用するように決定する。
【００９５】
第２隣接セルＤＭＴＣ情報は、少なくとも同期隣接セルのＤＭＴＣオフセットを含む第３ＤＭＴＣパラメータをさらに含む場合、ＵＥは、さらに同期隣接セルのＤＭＴＣ期間、同期隣接セルのＤＭＴＣ周期のうちの少なくとも１つの値が指定値であると決定する。
【００９６】
具体的に、ＵＥは、基地局の指示に基づいて、同期隣接セルのＤＭＴＣ期間、同期隣接セルのＤＭＴＣ周期のうちの少なくとも１つの値が指定値であると決定する。具体的に、ＵＥは、第２隣接セルＤＭＴＣ情報のうちの第５指示情報を取得し、第５指示情報に基づいて、同期隣接セルのＤＭＴＣ期間、同期隣接セルのＤＭＴＣ周期のうちの少なくとも１つの値を決定する。ここで、当該指定値の具体的な数値は、基地局からＵＥに同時に指示してもよく、ＵＥ自ら決定されてもよい。または、ＵＥは、基地局との事前の約束に基づいて、自ら同期隣接セルのＤＭＴＣ期間、同期隣接セルのＤＭＴＣ周期のうちの少なくとも１つの値を決定する。例えば、ＵＥは、同期隣接セルのＤＭＴＣ周期を指定周期（例えば最小ＤＭＴＣ周期４０ｍｓ）に決定し、または、同期隣接セルのＤＭＴＣ期間を指定期間（例えば最大ＤＭＴＣ期間１０ｍｓ）に決定する。
【００９７】
すなわち、全体的に言うと、第３ＤＭＴＣパラメータのうちのＤＭＴＣオフセットを同期隣接セルのＤＭＴＣオフセットとする。第３ＤＭＴＣパラメータに同期隣接セルのＤＭＴＣ期間、同期隣接セルのＤＭＴＣ周期のいずれかを含む場合、第３ＤＭＴＣパラメータに含まれているパラメータを、チャネル測定に使用されるパラメータとする。逆の場合、サービングセルのＤＭＴＣパラメータを同期隣接セルのＤＭＴＣパラメータとし、または、第３ＤＭＴＣパラメータに欠けている同期隣接セルのＤＭＴＣパラメータを指定値に決定する。
【００９８】
ステップ３０７において、ＵＥは、同期隣接セルのＤＭＴＣパラメータに基づいて、同期隣接セルのチャネル測定を行う。
【００９９】
ここで、ＵＥは、ステップ３０６で取得した同期隣接セルのＤＭＴＣパラメータに基づいて、同期隣接セルのチャネル測定を行う。
【０１００】
ステップ３０８において、基地局は、第３隣接セルＤＭＴＣ情報をＵＥ宛に送信する。ここで、第３隣接セルＤＭＴＣ情報は、非同期を指示する第３同期識別子を含む。
【０１０１】
ここで、第３同期識別子は、明示的な標識であってもよく、暗示的な標識であってもよい。具体的に、基地局は、第３同期識別子（非同期を指示する）によって、非同期隣接セルのみのチャネル品質測定をＵＥに明示的に指示してもよく、ＲＲＣの符号化構造によって、ＵＥによる非同期隣接セルのみのチャネル品質測定を暗示的に指示してもよい。例えば、具体的な実現において、第４ＤＭＴＣパラメータ符号化構造が存在するものの第３ＤＭＴＣパラメータ符号化構造が存在しないことによって、非同期隣接セルのみのチャネル品質測定をＵＥに指示する。
【０１０２】
また、第３隣接セルＤＭＴＣ情報は、非同期隣接セルのＤＭＴＣ期間、非同期隣接セルのＤＭＴＣオフセットのうちの少なくとも１つを含む第４ＤＭＴＣパラメータをさらに含む。ＵＥは、第４ＤＭＴＣパラメータに基づいて非同期隣接セルのＤＭＴＣパラメータを取得する。
【０１０３】
ステップ３０９において、ＵＥは、基地局から第３隣接セルＤＭＴＣ情報を受信し、第３隣接セルＤＭＴＣ情報に基づいて、非同期隣接セルのＤＭＴＣパラメータを決定する。
【０１０４】
具体的に、このステップにおいて、第３隣接セルＤＭＴＣ情報に第３同期識別子のみを含む場合、ＵＥは、非同期隣接セルのＤＭＴＣ周期が、指定周期か、指定周期と指定オフセット量との和であると決定、および／または、非同期隣接セルのＤＭＴＣ期間が指定期間であると決定する。
【０１０５】
例えば、第３隣接セルＤＭＴＣ情報に非同期隣接セルのＤＭＴＣ周期またはＤＭＴＣ期間を含まない場合、ＵＥは、非同期隣接セルのＤＭＴＣ周期を指定周期（例えば、最小ＤＭＴＣ周期４０ｍｓ）に決定、または、非同期隣接セルのＤＭＴＣ期間を指定期間（例えば、最大ＤＭＴＣ期間１０ｍｓ）に決定する。また、ＵＥは、非同期隣接セルのＤＭＴＣ周期が指定周期と指定オフセット量との和であると決定する。指定オフセット量は、指定期間−２または指定期間−１である。例えば、指定周期４０ｍｓ、指定期間１０ｍｓの場合、非同期隣接セルのＤＭＴＣ周期は、４８ｍｓ（４０＋（１０−２））または４９ｍｓ（４０＋（１０−１））である。
【０１０６】
また、第３隣接セルＤＭＴＣ情報は、非同期隣接セルのＤＭＴＣ期間、非同期隣接セルのＤＭＴＣ周期および非同期隣接セルのＤＭＴＣオフセットのうちの少なくとも１つを含む第４ＤＭＴＣパラメータをさらに含む。
【０１０７】
この場合、ＵＥは、非同期隣接セルのＤＭＴＣ周期が第４ＤＭＴＣパラメータのうちのＤＭＴＣ周期であると決定、または、非同期隣接セルのＤＭＴＣ周期が第４ＤＭＴＣパラメータのうちのＤＭＴＣ周期と指定オフセット量との和であると決定、および／または、非同期隣接セルのＤＭＴＣ期間が指定期間であると決定、および／または、非同期隣接セルのＤＭＴＣオフセットが指定オフセットであると決定する。
【０１０８】
すなわち、第４ＤＭＴＣパラメータに非同期隣接セルのＤＭＴＣ期間、非同期隣接セルのＤＭＴＣ周期および非同期隣接セルのＤＭＴＣオフセットのうちのいずれかを含んでいれば、第４ＤＭＴＣパラメータに含まれているパラメータを、チャネル測定に使用されるパラメータとする。逆の場合、欠けているパラメータを指定値に決定する。一方、第４ＤＭＴＣパラメータに非同期隣接セルのＤＭＴＣ周期を含む場合、チャネル測定に使用される非同期隣接セルのＤＭＴＣ周期として第４ＤＭＴＣパラメータのうちの値を利用できるほか、第４ＤＭＴＣパラメータのうちのＤＭＴＣ周期と指定オフセット量との和を、チャネル測定に使用される非同期隣接セルのＤＭＴＣ周期とする。
【０１０９】
ステップ３１０において、ＵＥは、非同期隣接セルのＤＭＴＣパラメータに基づいて非同期隣接セルのチャネル測定を行う。
【０１１０】
当該実施例において、ＵＥは、周波数内隣接セルの隣接セルＤＭＴＣ情報をＳＩＢ３ブロードキャストメッセージまたはＵＥ専用のＲＲＣメッセージによって取得、または、指定周波数点における周波数間隣接セルの隣接セルＤＭＴＣ情報をＳＩＢ５ブロードキャストメッセージまたはＵＥ専用のＲＲＣメッセージによって取得する。
【０１１１】
上記記載によれば、本発明の実施例において、ＵＥによる同期隣接セルおよび非同期隣接セルのＤＭＴＣ情報の同時取得を決定すると、第１隣接セルＤＭＴＣ情報を利用して同期隣接セルおよび非同期隣接セルのＤＭＴＣ情報をＵＥに指示することによって、ＵＥが同期隣接セルおよび非同期隣接セルのチャネル測定を同時に行い、サービスが順調に進められることを保証することが分かる。
【実施例４】
【０１１２】
図４に示すように、本発明の実施例４の情報設定装置は、ユーザ機器であるＵＥ宛に同期隣接セルのＤＭＴＣ情報および非同期隣接セルのＤＭＴＣ情報を送信するかを決定するための判断モジュール４０１と、同期隣接セルのＤＭＴＣ情報および非同期隣接セルのＤＭＴＣ情報をＵＥ宛に送信すると決定した場合、同期隣接セルのＤＭＴＣ情報および非同期隣接セルのＤＭＴＣ情報をＵＥに指示するための第１隣接セルＤＭＴＣ情報をＵＥ宛に送信するための第１情報送信モジュール４０２とを備える。
【０１１３】
ここで、第１隣接セルＤＭＴＣ情報は、第１同期識別子と、第１ＤＭＴＣパラメータとを含む。第１ＤＭＴＣパラメータは、同期隣接セルのＤＭＴＣ期間、同期隣接セルのＤＭＴＣ周期および同期隣接セルのＤＭＴＣオフセットのうちの少なくとも１つを含む。
【０１１４】
具体的な応用において、第１同期識別子は、非同期を指示する。また、第１同期識別子は、同期または非同期を指示する。第１隣接セルＤＭＴＣ情報は、第２ＤＭＴＣパラメータをさらに含む。第２ＤＭＴＣパラメータは、非同期隣接セルのＤＭＴＣ期間、非同期隣接セルのＤＭＴＣ周期および非同期隣接セルのＤＭＴＣオフセットのうちの少なくとも１つを含む。
【０１１５】
第１情報送信モジュール４０２は、具体的に、周波数内隣接セルの第１隣接セルＤＭＴＣ情報をＳＩＢ３ブロードキャストメッセージまたはＵＥ専用の無線リソース制御ＲＲＣメッセージによって送信し、指定周波数点における周波数間隣接セルの第１隣接セルＤＭＴＣ情報をＳＩＢ５ブロードキャストメッセージまたはＵＥ専用の無線リソース制御ＲＲＣメッセージによって送信する。
【０１１６】
ここで、第１隣接セルＤＭＴＣ情報は、サービングセルのＤＭＴＣ周期を同期隣接セルのＤＭＴＣ周期として使用するようにＵＥに指示、および／または、サービングセルのＤＭＴＣ期間を同期隣接セルのＤＭＴＣ期間として使用するようにＵＥに指示するための第１指示情報をさらに含む。
【０１１７】
ここで、第１隣接セルＤＭＴＣ情報は、同期隣接セルのＤＭＴＣ周期および／または同期隣接セルのＤＭＴＣ期間が指定値であることをＵＥに指示するための第２指示情報をさらに含む。
【０１１８】
ここで、図５に示すように、装置は、判断モジュール４０１によって同期隣接セルのＤＭＴＣ情報のみをＵＥ宛に送信すると決定した場合、第２隣接セルＤＭＴＣ情報をＵＥ宛に送信するための第２情報送信モジュール４０３をさらに備える。ここで、第２隣接セルＤＭＴＣ情報は、同期を指示する第２同期識別子を含む。
【０１１９】
ここで、第２隣接セルＤＭＴＣ情報は、ＤＭＴＣ期間、ＤＭＴＣ周期およびＤＭＴＣオフセットのうちの少なくとも１つを含むサービングセルのＤＭＴＣパラメータを同期隣接セルのＤＭＴＣパラメータとして使用するようにＵＥに指示、または、同期隣接セルのＤＭＴＣ期間、同期隣接セルのＤＭＴＣ周期および同期隣接セルのＤＭＴＣオフセットのうちの少なくとも１つの値が指定値であることをＵＥに指示するための第３指示情報をさらに含む。
【０１２０】
ここで、第２隣接セルＤＭＴＣ情報は、少なくとも同期隣接セルのＤＭＴＣオフセットを含む第３ＤＭＴＣパラメータをさらに含む。第２隣接セルＤＭＴＣ情報は、サービングセルのＤＭＴＣ期間を同期隣接セルのＤＭＴＣ期間として使用するようにＵＥに指示、および／または、サービングセルのＤＭＴＣ周期を同期隣接セルのＤＭＴＣ周期として使用するようにＵＥに指示ための第４指示情報をさらに含む。また、第２隣接セルＤＭＴＣ情報は、同期隣接セルのＤＭＴＣ期間、同期隣接セルのＤＭＴＣ周期のうちの少なくとも１つの値が指定値であることをＵＥに指示するための第５指示情報をさらに含む。
【０１２１】
図５に示すように、装置は、非同期を指示する第３同期識別子を含む第３隣接セルＤＭＴＣ情報をＵＥ宛に送信するための第３情報送信モジュール４０４をさらに備える。
【０１２２】
ここで、第３隣接セルＤＭＴＣ情報は、非同期隣接セルのＤＭＴＣ期間、非同期隣接セルのＤＭＴＣ周期および非同期隣接セルのＤＭＴＣオフセットのうちの少なくとも１つを含む第４ＤＭＴＣパラメータをさらに含む。
【０１２３】
本発明の実施例に記載されている装置は、基地局に配置されることができる。本発明による装置の稼動原理は、前述した方法実施例の記載を参照されたい。
【０１２４】
上記記載によれば、本発明の実施例において、ＵＥによる同期隣接セルおよび非同期隣接セルのＤＭＴＣ情報の同時取得を決定すると、第１隣接セルＤＭＴＣ情報を利用して同期隣接セルおよび非同期隣接セルのＤＭＴＣ情報をＵＥに指示することによって、ＵＥが同期隣接セルおよび非同期隣接セルのチャネル測定を同時に行い、サービスが順調に進められることを保証することが分かる。
【実施例５】
【０１２５】
図６に示すように、本発明の実施例５の情報設定装置は、同期隣接セルのＤＭＴＣ情報および非同期隣接セルのＤＭＴＣ情報を指示するための第１隣接セルＤＭＴＣ情報を基地局から受信するための第１情報受信モジュール５０１と、第１隣接セルＤＭＴＣ情報に基づいて同期隣接セルのＤＭＴＣ情報および非同期隣接セルのＤＭＴＣ情報を取得するための情報取得モジュール５０２と、同期隣接セルのＤＭＴＣ情報に基づいて同期隣接セルのチャネル測定を行い、非同期隣接セルのＤＭＴＣ情報に基づいて非同期隣接セルのチャネル測定を行うためのチャネル測定モジュール５０３とを備える。
【０１２６】
第１隣接セルＤＭＴＣ情報は、第１同期識別子と、第１ＤＭＴＣパラメータとを含む。第１ＤＭＴＣパラメータは、同期隣接セルのＤＭＴＣ期間、同期隣接セルのＤＭＴＣ周期および同期隣接セルのＤＭＴＣオフセットのうちの少なくとも１つを含む。
【０１２７】
具体的に、第１情報受信モジュール５０１は、周波数内隣接セルの第１隣接セルＤＭＴＣ情報をＳＩＢ３ブロードキャストメッセージまたはＵＥ専用の無線リソース制御ＲＲＣメッセージによって受信し、指定周波数点における周波数間隣接セルの第１隣接セルＤＭＴＣ情報をＳＩＢ５ブロードキャストメッセージまたはＵＥ専用の無線リソース制御ＲＲＣメッセージによって受信する。
【０１２８】
具体的に、情報取得モジュール５０２は、第１同期識別子が非同期を指示する場合、第１隣接セルＤＭＴＣ情報に基づいて同期隣接セルのＤＭＴＣ情報および非同期隣接セルのＤＭＴＣ情報を取得する。
【０１２９】
具体的に、情報取得モジュール５０２は、第１ＤＭＴＣパラメータに、非同期隣接セルのＤＭＴＣ期間、非同期隣接セルのＤＭＴＣ周期および非同期隣接セルのＤＭＴＣオフセットのうちの少なくとも１つを含む第２ＤＭＴＣパラメータをさらに含む場合、第１隣接セルＤＭＴＣ情報に基づいて同期隣接セルのＤＭＴＣ情報および非同期隣接セルのＤＭＴＣ情報を取得する。
【０１３０】
具体的な応用において、情報取得モジュール５０２は、具体的に、同期隣接セルのＤＭＴＣ情報の取得において、第１隣接セルＤＭＴＣ情報のうちの第１指示情報に基づいて、サービングセルのＤＭＴＣ周期を同期隣接セルのＤＭＴＣ周期として使用するように決定、および／または、サービングセルのＤＭＴＣ期間を同期隣接セルのＤＭＴＣ期間として使用するように決定する。
【０１３１】
具体的な応用において、情報取得モジュール５０２は、具体的に、同期隣接セルのＤＭＴＣ情報の取得において、第１隣接セルＤＭＴＣ情報のうちの第２指示情報に基づいて、同期隣接セルのＤＭＴＣ周期および／または同期隣接セルのＤＭＴＣ期間が指定値であると決定する。
【０１３２】
具体的な応用において、情報取得モジュール５０２は、具体的に、非同期隣接セルのＤＭＴＣ情報の取得において、非同期隣接セルのＤＭＴＣ周期が、指定周期か、指定周期と指定オフセット量との和であると決定、および／または、非同期隣接セルのＤＭＴＣ期間が指定期間であると決定、および／または、非同期隣接セルのＤＭＴＣオフセットが指定オフセットであると決定する。
【０１３３】
具体的な応用において、情報取得モジュール５０２は、具体的に、非同期隣接セルのＤＭＴＣ情報の取得において、非同期隣接セルのＤＭＴＣ周期が第２ＤＭＴＣパラメータのうちのＤＭＴＣ周期であると決定、または、非同期隣接セルのＤＭＴＣ周期が第２ＤＭＴＣパラメータのうちのＤＭＴＣ周期と指定オフセット量との和であると決定する。
【０１３４】
図７に示すように、装置は、同期を指示する第２同期識別子を含む第２隣接セルＤＭＴＣ情報を基地局から受信するための第２情報受信モジュール５０４と、第２隣接セルＤＭＴＣ情報に基づいて同期隣接セルのＤＭＴＣパラメータを決定するための第１情報決定モジュール５０５とをさらに備え、チャネル測定モジュール５０３は、さらに同期隣接セルのＤＭＴＣパラメータに基づいて同期隣接セルのチャネル測定を行う。
【０１３５】
第１情報決定モジュール５０５は、具体的に、第２隣接セルＤＭＴＣ情報のうちの第３指示情報に基づいて、ＤＭＴＣ期間、ＤＭＴＣ周期およびＤＭＴＣオフセットを含むサービングセルのＤＭＴＣパラメータが同期隣接セルのＤＭＴＣパラメータであると決定、または、同期隣接セルのＤＭＴＣ期間、同期隣接セルのＤＭＴＣ周期および同期隣接セルのＤＭＴＣオフセットのうちの１つか複数が指定値であると決定する。
【０１３６】
ここで、第２隣接セルＤＭＴＣ情報は、少なくとも同期隣接セルのＤＭＴＣオフセットを含む第３ＤＭＴＣパラメータをさらに含む。
【０１３７】
具体的に、第１情報決定モジュール５０５は、第２隣接セルＤＭＴＣ情報のうちの第４指示情報に基づいて、サービングセルのＤＭＴＣ期間を同期隣接セルのＤＭＴＣ期間として使用するように決定、および／または、サービングセルのＤＭＴＣ周期を同期隣接セルのＤＭＴＣ周期として使用するように決定する。
【０１３８】
具体的に、第１情報決定モジュール５０５は、第２隣接セルＤＭＴＣ情報のうちの第５指示情報に基づいて、同期隣接セルのＤＭＴＣ期間、同期隣接セルのＤＭＴＣ周期のうちの少なくとも１つが指定値であると決定する。
【０１３９】
図７に示すように、装置は、非同期を指示する第３同期識別子を含む第３隣接セルＤＭＴＣ情報を基地局から受信するための第３情報受信モジュール５０６と、第３隣接セルのＤＭＴＣ情報に基づいて非同期隣接セルのＤＭＴＣパラメータを決定するための第２情報決定モジュール５０７とをさらに備え、チャネル測定モジュール５０３は、さらに非同期隣接セルのＤＭＴＣパラメータに基づいて非同期隣接セルのチャネル測定を行う。
【０１４０】
また、第３隣接セルＤＭＴＣ情報は、非同期隣接セルのＤＭＴＣ期間、非同期隣接セルのＤＭＴＣ周期および非同期隣接セルのＤＭＴＣオフセットのうちの少なくとも１つを含む第４ＤＭＴＣパラメータをさらに含む。
【０１４１】
ここで、第２情報決定モジュール５０７は、具体的に、非同期隣接セルのＤＭＴＣ周期が、指定周期または、指定周期と指定オフセット量との和であると決定、および／または、非同期隣接セルのＤＭＴＣ期間が指定期間であると決定、および／または、非同期隣接セルのＤＭＴＣオフセットが指定オフセットであると決定する。
【０１４２】
ここで、第２情報決定モジュールは、具体的に、非同期隣接セルのＤＭＴＣ周期が第４ＤＭＴＣパラメータのうちのＤＭＴＣ周期であると決定、または、非同期隣接セルのＤＭＴＣ周期が第４ＤＭＴＣパラメータのうちのＤＭＴＣ周期と指定オフセット量との和であると決定する。
【０１４３】
本発明の実施例に記載されている装置は、ＵＥに配置されることができる。本発明による装置の稼動原理は、前述した方法の実施例の記載を参照されたい。
【０１４４】
上記記載によれば、本発明の実施例において、ＵＥによる同期隣接セルおよび非同期隣接セルのＤＭＴＣ情報の同時取得を決定すると、第１隣接セルＤＭＴＣ情報を利用して同期隣接セルおよび非同期隣接セルのＤＭＴＣ情報をＵＥに指示することによって、ＵＥが同期隣接セルおよび非同期隣接セルのチャネル測定を同時に行い、サービスが順調に進められることを保証することが分かる。
【０１４５】
本発明のＵＥは、移動電話機（または携帯電話）、またはそれ以外の無線信号の送受信が可能な機器であり、ユーザ機器（端末）、パーソナルデジタルアシスタント（ＰＤＡ）、無線モデム、無線通信装置、ハンドヘルドデバイス、ラップトップコンピュータ、コードレス電話、無線ローカルループ（ＷＬＬ）局、移動信号をｗｉｆｉ信号に変換可能なＣＰＥまたはＭｉｆｉ、スマート家電、またはそれ以外の人の操作によらずに自発的に移動通信ネットワークと通信可能な機器などが含まれる。
【０１４６】
本願で提供されるいくつかの実施例において、開示された方法および装置は、他の方式で実施され得ることを理解されたい。例えば、以上に記載された装置の実施例は、単なる例示である。例えば、ユニットの区分は、単に論理機能の区分であり、実際に実現する際に別の区分方式がある。例えば、複数のユニットまたはコンポーネントは、別のシステムに組み合わせられまたは一体化される。または、一部の特徴は、無視、または実行されなくてもよい。また、示されておりまたは議論されている相互間の結合、直接結合および通信接続は、インタフェース、装置またはユニットを介した間接結合や通信接続であり、電気的、機械的、または他の形式でもよい。
【０１４７】
また、本発明の各実施例における各機能的ユニットは、１つの処理部に一体化されていてもよいし、別々に設けられていてもよいし、２つ以上が一体化されてもよい。上述した一体化ユニットは、ハードウェアの形態、またはハードウェアとソフトウェア機能ユニットの形態で実施することができる。
【０１４８】
上述したソフトウェア機能ユニットの形態で実施される一体化ユニットは、コンピュータ読み取り可能な記憶媒体に格納されてもよい。上記ソフトウェア機能ユニットは、記憶媒体に記憶され、本開示の各実施例の方法のステップの一部をコンピュータ装置（パーソナルコンピュータ、サーバ、又はネットワーク装置であってもよい）に実行させるいくつかの指令を含む。上記の記憶媒体は、Ｕディスク、モバイルハードディスク、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスクまたは光ディスクなど、プログラムコードを格納することができる様々な媒体を含む。
【０１４９】
本発明の実施例は、Ａ１の情報設定方法を提供している。
Ａ１は、ユーザ機器であるＵＥ宛に、同期隣接セルのＤＭＴＣ情報および非同期隣接セルのＤＭＴＣ情報を送信するかを決定することと、同期隣接セルのＤＭＴＣ情報および非同期隣接セルのＤＭＴＣ情報をＵＥ宛に送信すると決定した場合、第１同期識別子と、同期隣接セルのＤＭＴＣ期間、同期隣接セルのＤＭＴＣ周期および同期隣接セルのＤＭＴＣオフセットのうちの１つか複数を含む第１ＤＭＴＣパラメータとを含み、同期隣接セルのＤＭＴＣ情報および非同期隣接セルのＤＭＴＣ情報をＵＥに指示するための第１隣接セルＤＭＴＣ情報をＵＥ宛に送信することとを含む。
【０１５０】
Ａ２は、Ａ１において、第１同期識別子が非同期を指示する。
【０１５１】
Ａ３は、Ａ１において、第１隣接セルＤＭＴＣ情報は、非同期隣接セルのＤＭＴＣ期間、非同期隣接セルのＤＭＴＣ周期および非同期隣接セルのＤＭＴＣオフセットのうちの少なくとも１つを含む第２ＤＭＴＣパラメータをさらに含む。
【０１５２】
Ａ４は、Ａ１からＡ３のいずれか１つにおいて、第１隣接セルＤＭＴＣ情報をＵＥに送信することが、周波数内隣接セルの第１隣接セルＤＭＴＣ情報をＳＩＢ３ブロードキャストメッセージまたはＵＥ専用の無線リソース制御ＲＲＣメッセージによって送信、および／または、指定周波数点における周波数間隣接セルの第１隣接セルＤＭＴＣ情報をＳＩＢ５ブロードキャストメッセージまたはＵＥ専用の無線リソース制御ＲＲＣメッセージによって送信する。
【０１５３】
Ａ５は、Ａ２またはＡ３において、第１隣接セルＤＭＴＣ情報は、サービングセルのＤＭＴＣ周期を同期隣接セルのＤＭＴＣ周期として使用するようにＵＥに指示、および／または、サービングセルのＤＭＴＣ期間を同期隣接セルのＤＭＴＣ期間として使用するようにＵＥに指示するための第１指示情報をさらに含む。
【０１５４】
Ａ６は、Ａ２またはＡ３において、第１隣接セルＤＭＴＣ情報は、同期隣接セルのＤＭＴＣ周期および／または同期隣接セルのＤＭＴＣ期間が指定値であることをＵＥに指示するための第２指示情報をさらに含む。
【０１５５】
Ａ７は、Ａ１において、同期隣接セルのＤＭＴＣ情報のみをＵＥに送信すると決定した場合、同期を指示する第２同期識別子を含む第２隣接セルＤＭＴＣ情報をＵＥ宛に送信することをさらに含む。
【０１５６】
Ａ８は、Ａ７において、第２隣接セルＤＭＴＣ情報は、ＤＭＴＣ期間、ＤＭＴＣ周期およびＤＭＴＣオフセットを含むサービングセルのＤＭＴＣパラメータを同期隣接セルのＤＭＴＣパラメータとして使用するようにＵＥに指示、または、同期隣接セルのＤＭＴＣ期間、同期隣接セルのＤＭＴＣ周期および同期隣接セルのＤＭＴＣオフセットのうちの少なくとも１つの値が指定値であることをＵＥに指示するための第３指示情報をさらに含む。
【０１５７】
Ａ９は、Ａ７において、第２隣接セルＤＭＴＣ情報は、少なくとも同期隣接セルのＤＭＴＣオフセットを含む第３ＤＭＴＣパラメータをさらに含む。
【０１５８】
Ａ１０は、Ａ９において、第２隣接セルＤＭＴＣ情報は、サービングセルのＤＭＴＣ期間を同期隣接セルのＤＭＴＣ期間として使用するようにＵＥに指示、および／または、サービングセルのＤＭＴＣ周期を同期隣接セルのＤＭＴＣ周期として使用するようにＵＥに指示ための第４指示情報をさらに含む、または、第２隣接セルＤＭＴＣ情報は、同期隣接セルのＤＭＴＣ期間、同期隣接セルのＤＭＴＣ周期のうちの少なくとも１つの値が指定値であることをＵＥに指示するための第５指示情報をさらに含む。
【０１５９】
Ａ１１は、Ａ１において、非同期隣接セルのＤＭＴＣ情報のみをＵＥに送信すると決定した場合、非同期を指示する第３同期識別子を含む第３隣接セルＤＭＴＣ情報をＵＥ宛に送信することをさらに含む。
【０１６０】
Ａ１２は、Ａ１１において、第３隣接セルＤＭＴＣ情報は、非同期隣接セルのＤＭＴＣ期間、非同期隣接セルのＤＭＴＣ周期および非同期隣接セルのＤＭＴＣオフセットのうちの少なくとも１つを含む第４ＤＭＴＣパラメータをさらに含む。
【０１６１】
本発明の実施例は、Ｂ１３の情報設定方法を提供している。
Ｂ１３は、同期隣接セルのＤＭＴＣ情報および非同期隣接セルのＤＭＴＣ情報を指示するための第１隣接セルＤＭＴＣ情報を基地局から受信することと、第１隣接セルＤＭＴＣ情報に基づいて同期隣接セルのＤＭＴＣ情報および非同期隣接セルのＤＭＴＣ情報を取得することと、同期隣接セルのＤＭＴＣ情報に基づいて同期隣接セルのチャネル測定を行い、非同期隣接セルのＤＭＴＣ情報に基づいて非同期隣接セルのチャネル測定を行うこととを含み、第１隣接セルＤＭＴＣ情報は、第１同期識別子と、同期隣接セルのＤＭＴＣ期間、同期隣接セルのＤＭＴＣ周期および同期隣接セルのＤＭＴＣオフセットのうちの少なくとも１つを含む第１ＤＭＴＣパラメータとを含む。
【０１６２】
Ｂ１４は、Ｂ１３において、第１隣接セルＤＭＴＣ情報を基地局から受信することは、周波数内隣接セルの第１隣接セルＤＭＴＣ情報をＳＩＢ３ブロードキャストメッセージまたはＵＥ専用の無線リソース制御ＲＲＣメッセージによって受信することと、指定周波数点における周波数間隣接セルの第１隣接セルＤＭＴＣ情報をＳＩＢ５ブロードキャストメッセージまたはＵＥ専用の無線リソース制御ＲＲＣメッセージによって受信することを含む。
【０１６３】
Ｂ１５は、Ｂ１３において、第１隣接セルＤＭＴＣ情報に基づいて同期隣接セルのＤＭＴＣ情報および非同期隣接セルのＤＭＴＣ情報を取得することは、第１同期識別子が非同期を指示する場合、第１隣接セルＤＭＴＣ情報に基づいて同期隣接セルのＤＭＴＣ情報および非同期隣接セルのＤＭＴＣ情報を取得することを含む。
【０１６４】
Ｂ１６は、Ｂ１３において、第１隣接セルＤＭＴＣ情報に基づいて同期隣接セルのＤＭＴＣ情報および非同期隣接セルのＤＭＴＣ情報を取得することは、第１ＤＭＴＣパラメータに、非同期隣接セルのＤＭＴＣ期間、非同期隣接セルのＤＭＴＣ周期および非同期隣接セルのＤＭＴＣオフセットのうちの少なくとも１つを含む第２ＤＭＴＣパラメータをさらに含む場合、第１隣接セルＤＭＴＣ情報に基づいて同期隣接セルのＤＭＴＣ情報および非同期隣接セルのＤＭＴＣ情報を取得することを含む。
【０１６５】
Ｂ１７は、Ｂ１５またはＢ１６において、第１隣接セルＤＭＴＣ情報に基づいて同期隣接セルのＤＭＴＣ情報を取得することは、第１隣接セルＤＭＴＣ情報のうちの第１指示情報に基づいて、サービングセルのＤＭＴＣ周期を同期隣接セルのＤＭＴＣ周期として使用するように決定、および／または、サービングセルのＤＭＴＣ期間を同期隣接セルのＤＭＴＣ期間として使用するように決定することを含む。
【０１６６】
Ｂ１８は、Ｂ１５またはＢ１６において、第１隣接セルＤＭＴＣ情報に基づいて同期隣接セルのＤＭＴＣ情報を取得することは、第１隣接セルＤＭＴＣ情報のうちの第２指示情報に基づいて、同期隣接セルのＤＭＴＣ周期および／または同期隣接セルのＤＭＴＣ期間が指定値であると決定することを含む。
【０１６７】
Ｂ１９は、Ｂ１５またはＢ１６において、第１隣接セルＤＭＴＣ情報に基づいて非同期隣接セルのＤＭＴＣ情報を取得することは、非同期隣接セルのＤＭＴＣ周期が、指定周期か、指定周期と指定オフセット量との和であると決定すること、および／または、非同期隣接セルのＤＭＴＣ期間が指定期間であると決定すること、および／または、非同期隣接セルのＤＭＴＣオフセットが指定オフセットであると決定することを含む。
【０１６８】
Ｂ２０は、Ｂ１６において、第１隣接セルＤＭＴＣ情報に基づいて非同期隣接セルのＤＭＴＣ情報を取得することは、非同期隣接セルのＤＭＴＣ周期が第２ＤＭＴＣパラメータのうちのＤＭＴＣ周期であると決定、または、非同期隣接セルのＤＭＴＣ周期が第２ＤＭＴＣパラメータのうちのＤＭＴＣ周期と指定オフセット量との和であると決定することを含む。
【０１６９】
Ｂ２１は、Ｂ１３において、同期を指示する第２同期識別子を含む第２隣接セルＤＭＴＣ情報を基地局から受信することと、第２隣接セルＤＭＴＣ情報に基づいて同期隣接セルのＤＭＴＣパラメータを決定することと、同期隣接セルのＤＭＴＣパラメータに基づいて同期隣接セルのチャネル測定を行うことをさらに含む。
【０１７０】
Ｂ２２は、Ｂ２１において、第２隣接セルＤＭＴＣ情報に基づいて同期隣接セルのＤＭＴＣパラメータを決定することは、第２隣接セルＤＭＴＣ情報のうちの第３指示情報に基づいて、ＤＭＴＣ期間、ＤＭＴＣ周期およびＤＭＴＣオフセットを含むサービングセルのＤＭＴＣパラメータが同期隣接セルのＤＭＴＣパラメータであると決定、または、同期隣接セルのＤＭＴＣ期間、同期隣接セルのＤＭＴＣ周期および同期隣接セルのＤＭＴＣオフセットのうちの少なくとも１つの値が指定値であると決定することを含む。
【０１７１】
Ｂ２３は、Ｂ２１において、第２隣接セルＤＭＴＣ情報は、少なくとも同期隣接セルのＤＭＴＣオフセットを含む第３ＤＭＴＣパラメータをさらに含む。
【０１７２】
Ｂ２４は、Ｂ２３において、第２隣接セルＤＭＴＣ情報に基づいて同期隣接セルのＤＭＴＣパラメータを決定することは、第２隣接セルＤＭＴＣ情報のうちの第４指示情報に基づいて、サービングセルのＤＭＴＣ期間を同期隣接セルのＤＭＴＣ期間として使用するように決定、および／または、サービングセルのＤＭＴＣ周期を同期隣接セルのＤＭＴＣ周期として使用するように決定することを含む。
【０１７３】
Ｂ２５は、Ｂ２３において、第２隣接セルＤＭＴＣ情報に基づいて同期隣接セルのＤＭＴＣパラメータを決定することは、第２隣接セルＤＭＴＣ情報のうちの第５指示情報に基づいて、同期隣接セルのＤＭＴＣ期間、同期隣接セルのＤＭＴＣ周期のうちの少なくとも１つの値が指定値であると決定することを含む。
【０１７４】
Ｂ２６は、Ｂ１３において、非同期を指示する第３同期識別子を含む第３隣接セルＤＭＴＣ情報を基地局から受信することと、第３隣接セルのＤＭＴＣ情報に基づいて非同期隣接セルのＤＭＴＣパラメータを決定することと、非同期隣接セルのＤＭＴＣパラメータに基づいて非同期隣接セルのチャネル測定を行うことをさらに含む。
【０１７５】
Ｂ２７は、Ｂ２６において、第３隣接セルＤＭＴＣ情報は、非同期隣接セルのＤＭＴＣ期間、非同期隣接セルのＤＭＴＣ周期および非同期隣接セルのＤＭＴＣオフセットのうちの少なくとも１つを含む第４ＤＭＴＣパラメータをさらに含む。
【０１７６】
Ｂ２８は、Ｂ２６またはＢ２７において、第３隣接セルＤＭＴＣ情報に基づいて非同期隣接セルのＤＭＴＣパラメータを決定することは、非同期隣接セルのＤＭＴＣ周期が、指定周期か、指定周期と指定オフセット量との和であると決定すること、および／または、非同期隣接セルのＤＭＴＣ期間が指定期間であると決定すること、および／または、非同期隣接セルのＤＭＴＣオフセットが指定オフセットであると決定することを含む。
【０１７７】
Ｂ２９は、Ｂ２７において、第３隣接セルＤＭＴＣ情報に基づいて非同期隣接セルのＤＭＴＣパラメータを決定することは、非同期隣接セルのＤＭＴＣ周期が第４ＤＭＴＣパラメータのうちのＤＭＴＣ周期であると決定、または、非同期隣接セルのＤＭＴＣ周期が第４ＤＭＴＣパラメータのうちのＤＭＴＣ周期と指定オフセット量との和であると決定することを含む。
【０１７８】
本発明の実施例は、Ｃ３０の情報設定装置を提供している。
Ｃ３０は、ユーザ機器であるＵＥ宛に、同期隣接セルのＤＭＴＣ情報および非同期隣接セルのＤＭＴＣ情報を送信するかを決定するための判断モジュールと、同期隣接セルのＤＭＴＣ情報および非同期隣接セルのＤＭＴＣ情報をＵＥ宛に送信すると決定した場合、第１同期識別子と、同期隣接セルのＤＭＴＣ期間、同期隣接セルのＤＭＴＣ周期および同期隣接セルのＤＭＴＣオフセットのうちの少なくとも１つを含む第１ＤＭＴＣパラメータとを含み、同期隣接セルのＤＭＴＣ情報および非同期隣接セルのＤＭＴＣ情報をＵＥに指示するための第１隣接セルＤＭＴＣ情報をＵＥ宛に送信するための第１情報送信モジュールとを備える。
【０１７９】
Ｃ３１は、Ｃ３０において、第１同期識別子が非同期を指示する。
【０１８０】
Ｃ３２は、Ｃ３０において、第１隣接セルＤＭＴＣ情報は、非同期隣接セルのＤＭＴＣ期間、非同期隣接セルのＤＭＴＣ周期および非同期隣接セルのＤＭＴＣオフセットのうちの少なくとも１つを含む第２ＤＭＴＣパラメータをさらに含む。
【０１８１】
Ｃ３３は、Ｃ３０からＣ３２のいずれか１つにおいて、第１情報送信モジュールは、具体的に、周波数内隣接セルの第１隣接セルＤＭＴＣ情報をＳＩＢ３ブロードキャストメッセージまたはＵＥ専用の無線リソース制御ＲＲＣメッセージによって送信し、指定周波数点における周波数間隣接セルの第１隣接セルＤＭＴＣ情報をＳＩＢ５ブロードキャストメッセージまたはＵＥ専用の無線リソース制御ＲＲＣメッセージによって送信する。
【０１８２】
Ｃ３４は、Ｃ３１またはＣ３２において、第１隣接セルＤＭＴＣ情報は、サービングセルのＤＭＴＣ周期を同期隣接セルのＤＭＴＣ周期として使用するようにＵＥに指示、および／または、サービングセルのＤＭＴＣ期間を同期隣接セルのＤＭＴＣ期間として使用するようにＵＥに指示するための第１指示情報をさらに含む。
【０１８３】
Ｃ３５は、Ｃ３１またはＣ３２において、第１隣接セルＤＭＴＣ情報は、同期隣接セルのＤＭＴＣ周期および／または同期隣接セルのＤＭＴＣ期間が指定値であることをＵＥに指示するための第２指示情報をさらに含む。
【０１８４】
Ｃ３６は、Ｃ３０において、同期を指示する第２同期識別子を含む第２隣接セルＤＭＴＣ情報をＵＥ宛に送信するための第２情報送信モジュールをさらに備える。
【０１８５】
Ｃ３７は、Ｃ３６において、第２隣接セルＤＭＴＣ情報は、ＤＭＴＣ期間、ＤＭＴＣ周期およびＤＭＴＣオフセットを含むサービングセルのＤＭＴＣパラメータを同期隣接セルのＤＭＴＣパラメータとして使用するようにＵＥに指示、または、同期隣接セルのＤＭＴＣ期間、同期隣接セルのＤＭＴＣ周期および同期隣接セルのＤＭＴＣオフセットのうちの少なくとも１つの値が指定値であることをＵＥに指示するための第３指示情報をさらに含む。
【０１８６】
Ｃ３８は、Ｃ３６において、第２隣接セルＤＭＴＣ情報は、少なくとも同期隣接セルのＤＭＴＣオフセットを含む第３ＤＭＴＣパラメータをさらに含み、第２隣接セルＤＭＴＣ情報は、サービングセルのＤＭＴＣ期間を同期隣接セルのＤＭＴＣ期間として使用するようにＵＥに指示、および／または、サービングセルのＤＭＴＣ周期を同期隣接セルのＤＭＴＣ周期として使用するようにＵＥに指示ための第４指示情報をさらに含む、または、第２隣接セルＤＭＴＣ情報は、同期隣接セルのＤＭＴＣ期間、同期隣接セルのＤＭＴＣ周期のうちの少なくとも１つの値が指定値であることをＵＥに指示するための第５指示情報をさらに含む。
【０１８７】
Ｃ３９は、Ｃ３０において、非同期を指示する第３同期識別子を含む第３隣接セルＤＭＴＣ情報をＵＥ宛に送信するための第３情報送信モジュールをさらに備える。
【０１８８】
Ｃ４０は、Ｃ３９において、第３隣接セルＤＭＴＣ情報は、非同期隣接セルのＤＭＴＣ期間、非同期隣接セルのＤＭＴＣ周期および非同期隣接セルのＤＭＴＣオフセットのうちの少なくとも１つを含む第４ＤＭＴＣパラメータをさらに含む。
【０１８９】
本発明の実施例は、Ｄ４１の情報設定装置を提供している。
Ｄ４１は、同期隣接セルのＤＭＴＣ情報および非同期隣接セルのＤＭＴＣ情報を指示するための第１隣接セルＤＭＴＣ情報を基地局から受信するための第１情報受信モジュールと、第１隣接セルＤＭＴＣ情報に基づいて同期隣接セルのＤＭＴＣ情報および非同期隣接セルのＤＭＴＣ情報を取得するための情報取得モジュールと、同期隣接セルのＤＭＴＣ情報に基づいて同期隣接セルのチャネル測定を行い、非同期隣接セルのＤＭＴＣ情報に基づいて非同期隣接セルのチャネル測定を行うためのチャネル測定モジュールとを備え、第１隣接セルＤＭＴＣ情報は、第１同期識別子と、同期隣接セルのＤＭＴＣ期間、同期隣接セルのＤＭＴＣ周期および同期隣接セルのＤＭＴＣオフセットのうちの少なくとも１つを含む第１ＤＭＴＣパラメータとを含む。
【０１９０】
Ｄ４２は、Ｄ４１において、第１情報受信モジュールは、具体的に、周波数内隣接セルの第１隣接セルＤＭＴＣ情報をＳＩＢ３ブロードキャストメッセージまたはＵＥ専用の無線リソース制御ＲＲＣメッセージによって受信、および／または、指定周波数点における周波数間隣接セルの第１隣接セルＤＭＴＣ情報をＳＩＢ５ブロードキャストメッセージまたはＵＥ専用の無線リソース制御ＲＲＣメッセージによって受信する。
【０１９１】
Ｄ４３は、Ｄ４１において、情報取得モジュールは、具体的に、第１同期識別子が非同期を指示する場合、第１隣接セルＤＭＴＣ情報に基づいて同期隣接セルのＤＭＴＣ情報および非同期隣接セルのＤＭＴＣ情報を取得する。
【０１９２】
Ｄ４４は、Ｄ４１において、情報取得モジュールは、具体的に、第１ＤＭＴＣパラメータに、非同期隣接セルのＤＭＴＣ期間、非同期隣接セルのＤＭＴＣ周期および非同期隣接セルのＤＭＴＣオフセットのうちの少なくとも１つを含む第２ＤＭＴＣパラメータをさらに含む場合、第１隣接セルＤＭＴＣ情報に基づいて同期隣接セルのＤＭＴＣ情報および非同期隣接セルのＤＭＴＣ情報を取得する。
【０１９３】
Ｄ４５は、Ｄ４３またはＤ４４において、情報取得モジュールは、具体的に、同期隣接セルのＤＭＴＣ情報の取得において、第１隣接セルＤＭＴＣ情報のうちの第１指示情報に基づいて、サービングセルのＤＭＴＣ周期を同期隣接セルのＤＭＴＣ周期として使用するように決定、および／または、サービングセルのＤＭＴＣ期間を同期隣接セルのＤＭＴＣ期間として使用するように決定する。
【０１９４】
Ｄ４６は、Ｄ４３またはＤ４４において、情報取得モジュールは、具体的に、同期隣接セルのＤＭＴＣ情報の取得において、第１隣接セルＤＭＴＣ情報のうちの第２指示情報に基づいて、同期隣接セルのＤＭＴＣ周期および／または同期隣接セルのＤＭＴＣ期間が指定値であると決定する。
【０１９５】
Ｄ４７は、Ｄ４３またはＤ４４において、情報取得モジュールは、具体的に、非同期隣接セルのＤＭＴＣ情報の取得において、非同期隣接セルのＤＭＴＣ周期が、指定周期または、指定周期と指定オフセット量との和であると決定、および／または、非同期隣接セルのＤＭＴＣ期間が指定期間であると決定、および／または、非同期隣接セルのＤＭＴＣオフセットが指定オフセットであると決定する。
【０１９６】
Ｄ４８は、Ｄ４４において、情報取得モジュールは、具体的に、非同期隣接セルのＤＭＴＣ情報の取得において、非同期隣接セルのＤＭＴＣ周期が第２ＤＭＴＣパラメータのうちのＤＭＴＣ周期であると決定、または、非同期隣接セルのＤＭＴＣ周期が第２ＤＭＴＣパラメータのうちのＤＭＴＣ周期と指定オフセット量との和であると決定する。
【０１９７】
Ｄ４９は、Ｄ４１において、同期を指示する第２同期識別子を含む第２隣接セルＤＭＴＣ情報を基地局から受信するための第２情報受信モジュールと、第２隣接セルＤＭＴＣ情報に基づいて同期隣接セルのＤＭＴＣパラメータを決定するための第１情報決定モジュールとをさらに備え、チャネル測定モジュールは、さらに同期隣接セルのＤＭＴＣパラメータに基づいて同期隣接セルのチャネル測定を行う。
【０１９８】
Ｄ５０は、Ｄ４９において、第１情報決定モジュールは、具体的に、第２隣接セルＤＭＴＣ情報のうちの第３指示情報に基づいて、ＤＭＴＣ期間、ＤＭＴＣ周期およびＤＭＴＣオフセットを含むサービングセルのＤＭＴＣパラメータが同期隣接セルのＤＭＴＣパラメータであると決定、または、同期隣接セルのＤＭＴＣ期間、同期隣接セルのＤＭＴＣ周期および同期隣接セルのＤＭＴＣオフセットのうちの少なくとも１つが指定値であると決定する。
【０１９９】
Ｄ５１は、Ｄ４９において、第２隣接セルＤＭＴＣ情報は、少なくとも同期隣接セルのＤＭＴＣオフセットを含む第３ＤＭＴＣパラメータをさらに含む。
【０２００】
Ｄ５２は、Ｄ５１において、第１情報決定モジュールは、具体的に、第２隣接セルＤＭＴＣ情報のうちの第４指示情報に基づいて、サービングセルのＤＭＴＣ期間を同期隣接セルのＤＭＴＣ期間として使用するように決定、および／または、サービングセルのＤＭＴＣ周期を同期隣接セルのＤＭＴＣ周期として使用するように決定する。
【０２０１】
Ｄ５３は、Ｄ５１において、第１情報決定モジュールは、具体的に、第２隣接セルＤＭＴＣ情報のうちの第５指示情報に基づいて、同期隣接セルのＤＭＴＣ期間、同期隣接セルのＤＭＴＣ周期のうちの少なくとも１つの値が指定値であると決定する。
【０２０２】
Ｄ５４は、Ｄ４１において、非同期を指示する第３同期識別子を含む第３隣接セルＤＭＴＣ情報を基地局から受信するための第３情報受信モジュールと、第３隣接セルのＤＭＴＣ情報に基づいて非同期隣接セルのＤＭＴＣパラメータを決定するための第２情報決定モジュールとをさらに備え、チャネル測定モジュールは、さらに非同期隣接セルのＤＭＴＣパラメータに基づいて非同期隣接セルのチャネル測定を行う。
【０２０３】
Ｄ５５は、Ｄ５４において、第３隣接セルＤＭＴＣ情報は、非同期隣接セルのＤＭＴＣ期間、非同期隣接セルのＤＭＴＣ周期および非同期隣接セルのＤＭＴＣオフセットのうちの少なくとも１つを含む第４ＤＭＴＣパラメータをさらに含む。
【０２０４】
Ｄ５６は、Ｄ５４またはＤ５５において、第２情報決定モジュールは、具体的に、非同期隣接セルのＤＭＴＣ周期が、指定周期または、指定周期と指定オフセット量との和であると決定、および／または、非同期隣接セルのＤＭＴＣ期間が指定期間であると決定、および／または、非同期隣接セルのＤＭＴＣオフセットが指定オフセットであると決定する。
【０２０５】
Ｄ５７は、Ｄ５６において、第２情報決定モジュールは、具体的に、非同期隣接セルのＤＭＴＣ周期が第４ＤＭＴＣパラメータのうちのＤＭＴＣ周期であると決定、または、非同期隣接セルのＤＭＴＣ周期が第４ＤＭＴＣパラメータのうちのＤＭＴＣ周期と指定オフセット量との和であると決定する。
【０２０６】
Ｅ５８は、プロセッサと、メモリと、発信機とを含む情報設定装置であって、プロセッサは、メモリに格納されているプログラムまたはデータを呼び出して実行することによって、ユーザ機器であるＵＥ宛に同期隣接セルのＤＭＴＣ情報および非同期隣接セルのＤＭＴＣ情報を送信するかを決定し、発信機は、プロセッサによって同期隣接セルのＤＭＴＣ情報および非同期隣接セルのＤＭＴＣ情報をＵＥ宛に送信すると決定した場合、第１同期識別子と、同期隣接セルのＤＭＴＣ期間、同期隣接セルのＤＭＴＣ周期および同期隣接セルのＤＭＴＣオフセットのうちの少なくとも１つを含む第１ＤＭＴＣパラメータとを含み、同期隣接セルのＤＭＴＣ情報および非同期隣接セルのＤＭＴＣ情報をＵＥに指示するための第１隣接セルＤＭＴＣ情報をＵＥ宛に送信する。
【０２０７】
Ｆ５９は、プロセッサと、メモリと、受信機とを含む情報設定装置であって、受信機は、同期隣接セルのＤＭＴＣ情報および非同期隣接セルのＤＭＴＣ情報を指示するための第１隣接セルＤＭＴＣ情報を基地局から受信し、プロセッサは、メモリに格納されているプログラムまたはデータを呼び出して実行することによって、受信機が受信した第１隣接セルＤＭＴＣ情報に基づいて同期隣接セルのＤＭＴＣ情報および非同期隣接セルのＤＭＴＣ情報を取得し、同期隣接セルのＤＭＴＣ情報に基づいて同期隣接セルのチャネル測定を行い、非同期隣接セルのＤＭＴＣ情報に基づいて非同期隣接セルのチャネル測定を行い、第１隣接セルＤＭＴＣ情報は、第１同期識別子と、同期隣接セルのＤＭＴＣ期間、同期隣接セルのＤＭＴＣ周期および同期隣接セルのＤＭＴＣオフセットのうちの少なくとも１つを含む第１ＤＭＴＣパラメータとを含む情報設定装置である。
【０２０８】
Ｇ６０は、ユーザ機器であるＵＥ宛に、同期隣接セルのＤＭＴＣ情報および非同期隣接セルのＤＭＴＣ情報を送信するかを決定することと、同期隣接セルのＤＭＴＣ情報および非同期隣接セルのＤＭＴＣ情報をＵＥ宛に送信すると決定した場合、第１同期識別子と、同期隣接セルのＤＭＴＣ期間、同期隣接セルのＤＭＴＣ周期および同期隣接セルのＤＭＴＣオフセットのうちの少なくとも１つを含む第１ＤＭＴＣパラメータとを含み、同期隣接セルのＤＭＴＣ情報および非同期隣接セルのＤＭＴＣ情報をＵＥに指示するための第１隣接セルＤＭＴＣ情報をＵＥ宛に送信することとを実現する指令が格納されているコンピュータ読み取り可能な記憶媒体である。
【０２０９】
Ｈ６１は、同期隣接セルのＤＭＴＣ情報および非同期隣接セルのＤＭＴＣ情報を指示するための第１隣接セルＤＭＴＣ情報を基地局から受信することと、第１隣接セルＤＭＴＣ情報に基づいて同期隣接セルのＤＭＴＣ情報および非同期隣接セルのＤＭＴＣ情報を取得することと、同期隣接セルのＤＭＴＣ情報に基づいて同期隣接セルのチャネル測定を行い、非同期隣接セルのＤＭＴＣ情報に基づいて非同期隣接セルのチャネル測定を行うこととを実現する指令が格納されているコンピュータ読み取り可能な記憶媒体であって、第１隣接セルＤＭＴＣ情報は、第１同期識別子と、同期隣接セルのＤＭＴＣ期間、同期隣接セルのＤＭＴＣ周期および同期隣接セルのＤＭＴＣオフセットのうちの少なくとも１つを含む第１ＤＭＴＣパラメータとを含むコンピュータ読み取り可能な記憶媒体である。
【０２１０】
以上の記載は、本発明の好適な実施形態である。なお、当業者にとって、本発明に記載される原理から逸脱することなく、若干の改良または修飾を行うことができる。これらの改良または修飾も、本発明の保護範囲とみなされるべきである。
【図１】
2019508954.tif 000003
【図２】
2019508954.tif 000004
【図３】
2019508954.tif 000005
【図４】
2019508954.tif 000006
【図５】
2019508954.tif 000007
【図６】
2019508954.tif 000008
【図７】
2019508954.tif 000009
【手続補正書】
【提出日】平成30年7月31日(2018.7.31)
【手続補正１】
【補正対象書類名】特許請求の範囲
【補正対象項目名】全文
【補正方法】変更
【補正の内容】
【特許請求の範囲】
【請求項１】
ユーザ機器であるＵＥ宛に、同期隣接セルのＤＭＴＣ情報および非同期隣接セルのＤＭＴＣ情報を送信するかを決定することと、
前記同期隣接セルのＤＭＴＣ情報および前記非同期隣接セルのＤＭＴＣ情報を前記ＵＥ宛に送信すると決定した場合、第１同期識別子と、前記同期隣接セルのＤＭＴＣ期間、前記同期隣接セルのＤＭＴＣ周期および前記同期隣接セルのＤＭＴＣオフセットのうちの少なくとも１つを含む第１ＤＭＴＣパラメータとを含み、前記同期隣接セルのＤＭＴＣ情報および前記非同期隣接セルのＤＭＴＣ情報を前記ＵＥに指示するための第１隣接セルＤＭＴＣ情報を前記ＵＥ宛に送信することとを含む情報設定方法。
【請求項２】
前記第１隣接セルＤＭＴＣ情報は、前記非同期隣接セルのＤＭＴＣ期間、前記非同期隣接セルのＤＭＴＣ周期および前記非同期隣接セルのＤＭＴＣオフセットのうちの少なくとも１つを含む第２ＤＭＴＣパラメータをさらに含む請求項１に記載の方法。
【請求項３】
前記第１隣接セルＤＭＴＣ情報を前記ＵＥに送信することが、
周波数内隣接セルの前記第１隣接セルＤＭＴＣ情報をＳＩＢ３ブロードキャストメッセージまたは前記ＵＥ専用の無線リソース制御ＲＲＣメッセージによって送信することと、
指定周波数点における周波数間隣接セルの前記第１隣接セルＤＭＴＣ情報をＳＩＢ５ブロードキャストメッセージまたは前記ＵＥ専用の前記無線リソース制御ＲＲＣメッセージによって送信することとを含む請求項１または請求項２に記載の方法。
【請求項４】
前記同期隣接セルのＤＭＴＣ情報のみを前記ＵＥに送信すると決定した場合、
同期を指示する第２同期識別子を含む第２隣接セルＤＭＴＣ情報を前記ＵＥ宛に送信することをさらに含み、
前記第２隣接セルＤＭＴＣ情報は、少なくとも前記同期隣接セルのＤＭＴＣオフセットを含む第３ＤＭＴＣパラメータをさらに含む請求項１に記載の方法。
【請求項５】
前記非同期隣接セルのＤＭＴＣ情報のみを前記ＵＥに送信すると決定した場合、
非同期を指示する第３同期識別子を含む第３隣接セルＤＭＴＣ情報を前記ＵＥ宛に送信することをさらに含む請求項１に記載の方法。
【請求項６】
前記第３隣接セルＤＭＴＣ情報は、前記非同期隣接セルのＤＭＴＣ期間、前記非同期隣接セルのＤＭＴＣ周期および前記非同期隣接セルのＤＭＴＣオフセットのうちの少なくとも１つを含む第４ＤＭＴＣパラメータをさらに含む請求項５に記載の方法。
【請求項７】
同期隣接セルのＤＭＴＣ情報および非同期隣接セルのＤＭＴＣ情報を指示するための第１隣接セルＤＭＴＣ情報を基地局から受信することと、
前記第１隣接セルＤＭＴＣ情報に基づいて前記同期隣接セルのＤＭＴＣ情報および前記非同期隣接セルのＤＭＴＣ情報を取得することと、
前記同期隣接セルのＤＭＴＣ情報に基づいて前記同期隣接セルのチャネル測定を行い、前記非同期隣接セルのＤＭＴＣ情報に基づいて前記非同期隣接セルのチャネル測定を行うこととを含み、
前記第１隣接セルＤＭＴＣ情報は、第１同期識別子と、前記同期隣接セルのＤＭＴＣ期間、前記同期隣接セルのＤＭＴＣ周期および前記同期隣接セルのＤＭＴＣオフセットのうちの少なくとも１つとを含む第１ＤＭＴＣパラメータとを含む情報設定方法。
【請求項８】
前記第１隣接セルＤＭＴＣ情報を前記基地局から受信することは、
周波数内隣接セルの前記第１隣接セルＤＭＴＣ情報をＳＩＢ３ブロードキャストメッセージまたはＵＥ専用の無線リソース制御ＲＲＣメッセージによって受信することと、
指定周波数点における周波数間隣接セルの前記第１隣接セルＤＭＴＣ情報をＳＩＢ５ブロードキャストメッセージまたは前記ＵＥ専用の前記無線リソース制御ＲＲＣメッセージによって受信することを含む請求項７に記載の方法。
【請求項９】
前記第１隣接セルＤＭＴＣ情報に基づいて前記同期隣接セルのＤＭＴＣ情報および前記非同期隣接セルのＤＭＴＣ情報を取得することは、
前記第１ＤＭＴＣパラメータに、前記非同期隣接セルのＤＭＴＣ期間、前記非同期隣接セルのＤＭＴＣ周期および前記非同期隣接セルのＤＭＴＣオフセットのうちの少なくとも１つを含む第２ＤＭＴＣパラメータをさらに含む場合、前記第１隣接セルＤＭＴＣ情報に基づいて前記同期隣接セルのＤＭＴＣ情報および前記非同期隣接セルのＤＭＴＣ情報を取得することを含む請求項７に記載の方法。
【請求項１０】
前記第１隣接セルＤＭＴＣ情報に基づいて前記非同期隣接セルのＤＭＴＣ情報を取得することは、
前記非同期隣接セルのＤＭＴＣ周期が、指定周期、または指定周期と指定オフセット量との和であると決定すること、および／または
前記非同期隣接セルのＤＭＴＣ期間が指定期間であると決定すること、および／または
前記非同期隣接セルのＤＭＴＣオフセットが指定オフセットであると決定することを含む請求項７または請求項９に記載の方法。
【請求項１１】
前記第１隣接セルＤＭＴＣ情報に基づいて前記非同期隣接セルのＤＭＴＣ情報を取得することは、
前記非同期隣接セルのＤＭＴＣ周期が前記第２ＤＭＴＣパラメータのうちのＤＭＴＣ周期であると決定、または前記非同期隣接セルのＤＭＴＣ周期が前記第２ＤＭＴＣパラメータのうちのＤＭＴＣ周期と指定オフセット量との和であると決定することを含む請求項９に記載の方法。
【請求項１２】
同期を指示する第２同期識別子を含む第２隣接セルＤＭＴＣ情報を前記基地局から受信することと、
前記第２隣接セルＤＭＴＣ情報に基づいて前記同期隣接セルのＤＭＴＣパラメータを決定することと、
前記同期隣接セルのＤＭＴＣパラメータに基づいて前記同期隣接セルのチャネル測定を行うことをさらに含み、
前記第２隣接セルＤＭＴＣ情報は、少なくとも前記同期隣接セルのＤＭＴＣオフセットを含む第３ＤＭＴＣパラメータをさらに含む請求項１１に記載の方法。
【請求項１３】
非同期を指示する第３同期識別子を含む第３隣接セルＤＭＴＣ情報を前記基地局から受信することと、
前記第３隣接セルのＤＭＴＣ情報に基づいて前記非同期隣接セルのＤＭＴＣパラメータを決定することと、
前記非同期隣接セルのＤＭＴＣパラメータに基づいて前記非同期隣接セルのチャネル測定を行うことをさらに含む請求項７に記載の方法。
【請求項１４】
ユーザ機器であるＵＥ宛に、同期隣接セルのＤＭＴＣ情報および非同期隣接セルのＤＭＴＣ情報を送信するかを決定するための判断モジュールと、
前記同期隣接セルのＤＭＴＣ情報および前記非同期隣接セルのＤＭＴＣ情報を前記ＵＥ宛に送信すると決定した場合、第１同期識別子と、前記同期隣接セルのＤＭＴＣ期間、前記同期隣接セルのＤＭＴＣ周期および前記同期隣接セルのＤＭＴＣオフセットのうちの少なくとも１つを含む第１ＤＭＴＣパラメータとを含み、前記同期隣接セルのＤＭＴＣ情報および前記非同期隣接セルのＤＭＴＣ情報を前記ＵＥに指示するための第１隣接セルＤＭＴＣ情報を前記ＵＥ宛に送信するための第１情報送信モジュールとを備える情報設定装置。
【請求項１５】
同期隣接セルのＤＭＴＣ情報および非同期隣接セルのＤＭＴＣ情報を指示するための第１隣接セルＤＭＴＣ情報を基地局から受信するための第１情報受信モジュールと、
前記第１隣接セルＤＭＴＣ情報に基づいて前記同期隣接セルのＤＭＴＣ情報および前記非同期隣接セルのＤＭＴＣ情報を取得するための情報取得モジュールと、
前記同期隣接セルのＤＭＴＣ情報に基づいて前記同期隣接セルのチャネル測定を行い、前記非同期隣接セルのＤＭＴＣ情報に基づいて前記非同期隣接セルのチャネル測定を行うためのチャネル測定モジュールとを備え、
前記第１隣接セルＤＭＴＣ情報は、第１同期識別子と、前記同期隣接セルのＤＭＴＣ期間、前記同期隣接セルのＤＭＴＣ周期および前記同期隣接セルのＤＭＴＣオフセットのうちの少なくとも１つを含む第１ＤＭＴＣパラメータとを含む情報設定装置。
【国際調査報告】
2019508954.tif 000010
2019508954.tif 000011
2019508954.tif 000012
2019508954.tif 000013